(57)【要約】  データ部分の送信のための、送信シンボル位置の２次元グリッドを含むフレーム内で１つまたは複数のデータブロックを送信するためのデータ通信装置は、送信シンボルの２次元グリッドのサブセットである送信シンボル位置のグループを選択するように構成される。データ通信装置は、選択された送信シンボル位置のグループに対する参照シンボル位置の所望の相対位置を記述する情報に基づいて、複数の可能性の中から、選択された送信シンボル位置のグループに関連する１つまたは複数の参照シンボル位置を選択するように構成される。  他の装置もまた、送信シンボル位置の柔軟な選択および参照シンボル位置の柔軟な選択を使用する。  システム、方法およびコンピュータプログラムもまた記載されている。【選択図】図１７
2019528007.tif 000002
【特許請求の範囲】
【請求項１】
送信シンボル位置の２次元グリッドを含むフレーム内で１つまたは複数のデータブロック（１７１０）を送信するためのデータ通信装置（１７００）であって、
前記データ通信装置は、データ部分の送信のために、送信シンボル位置の前記２次元グリッド（１７３０）のサブセットである送信シンボル位置のグループ（１７４０）を選択するように構成され、そして、
前記データ通信装置は、前記選択された送信シンボル位置のグループ（１７４０）に関連付けられた１つまたは複数の参照シンボル位置（ＤＭＲＳ；３１２；１７５０，１７５２，１７５４，１７５６，１７５８）を、前記選択された送信シンボル位置のグループに対する前記参照シンボル位置の所望の相対位置を記述する情報（ＤＭＲＳ＿ｐｏｓｉｔｉｏｎ）に基づいて、複数の可能性から選択するように構成される、データ通信装置（１７００）。
【請求項２】
前記データ通信装置は、参照シンボル位置が、選択された送信シンボル位置のグループの先頭にあるか、または選択された送信シンボル位置のグループの末尾にあるかを示す情報（１７１１；ＤＭＲＳ＿Ｐｏｓｉｔｉｏｎ）を受信するように構成される、請求項１に記載のデータ通信装置。
【請求項３】
参照シンボル位置が、選択された送信シンボル位置グループの先頭にあるか、選択された送信シンボル位置グループの末尾にあるかを示す前記情報（１７１１；ＤＭＲＳ＿ｐｏｓｉｔｉｏｎ）は、１ビットの情報である、請求項２に記載のデータ通信装置。
【請求項４】
前記データ通信装置は、参照シンボル位置が、選択された送信シンボル位置のグループの先頭にあるか、選択された送信シンボル位置のグループの末尾にあるか、もしくは選択された送信シンボル位置のグループの内部にあること、または選択された送信シンボル位置のグループの先頭と末尾の両方に参照シンボル位置があること、を示す情報（１７１１；ＤＭＲＳ位置）を受信するように構成される、請求項１に記載のデータ通信装置。
【請求項５】
参照シンボル位置が、選択された送信シンボル位置のグループの先頭にあるか、選択された送信シンボル位置のグループの末尾にあること、または選択された送信シンボル位置のグループの内部にあること、あるいは選択された送信シンボル位置のグループの先頭と末尾の両方に参照シンボル位置があること、を示す前記情報は、２ビットの情報である、請求項４に記載のデータ通信装置。
【請求項６】
データ通信装置は、前記選択された送信シンボル位置のグループが２つの送信シンボル位置の長さを含むか、あるいは２つ以上の送信シンボル位置を含むかどうかに応じて、選択された送信シンボル位置のグループに対する参照シンボル位置の所望の相対位置を記述する１ビット情報、または、選択された送信シンボル位置のグループに対する参照シンボル位置の所望の相対位置を記述する２ビット情報を選択的に評価するように構成される、または、
データ通信装置は、前記選択された送信シンボル位置のグループが、送信シンボル位置の選択されたグループの時間的広がりに応じて、２つの送信シンボル位置を含むか、または２つ以上の送信シンボル位置を含むかに応じて、選択された送信シンボル位置のグループに対する参照シンボル位置の所望の相対位置を記述する１ビット情報、または選択された送信シンボル位置に対する参照シンボル位置の所望の相対位置を記述する２ビット情報を選択的に評価するように構成される、請求項１ないし請求項５のいずれかに記載のデータ通信装置。
【請求項７】
前記データ通信装置は、前記選択された送信シンボル位置のグループに対する前記参照シンボル位置の所望の相対位置を記述する前記情報（２０４０）を、複数のデータ通信装置の動作を調整する他のデータ通信装置（２０００）から受信するように構成される、請求項１ないし請求項６のいずれかに記載のデータ通信装置。
【請求項８】
送信シンボル位置（１８３０）の２次元グリッドを含むフレーム内で１つまたは複数のデータブロック（１８１０）を送信するためのデータ通信装置（１８００）であって、
前記データ通信装置は、送信シンボル位置の前記２次元グリッドのサブセットである送信シンボル位置のグループ（１８４０，１８４１，１８４２，１８４３，１８４４，１８４５，１８４６）をデータ部分の送信のために選択するように構成され、
前記選択された送信シンボル位置のグループに１つまたは複数の参照シンボル位置（ＤＭＲＳ；１８４０ａ，１８４１ａ，１８４２ａ，１８４３ａ，１８４４ａ，１８４５ａ，１８４６ａ）が関連付けられ、
前記データ通信装置は、前記送信シンボル位置のグループの前記選択に基づいて、または前記送信シンボル位置のグループの前記選択に伴って、どの１つまたは複数のシンボル位置を１つまたは複数の参照シンボル位置として使用するかを決定するように構成され、そして、
前記参照シンボル位置は、前記フレームのタイムスロットの１つまたは複数の境界に対して、または前記フレームのサブフレームの１つまたは複数の境界に対して可変である、および／または、
前記１つまたは複数の参照シンボル位置（ＤＭＲＳ；１８４０ａ，１８４１ａ，１８４２ａ，１８４３ａ，１８４４ａ，１８４５ａ，１８４６ａ）は、前記選択された送信シンボル位置のグループ（１８４０，１８４１，１８４２，１８４３，１８４４，１８４５，１８４６）に対して可変である、データ通信装置。
【請求項９】
前記フレームのタイムスロットの１つまたは複数の境界に対する、または前記フレームのサブフレームの１つまたは複数の境界に対する前記参照シンボル位置の前記位置は、送信シンボル位置のグループの実際の選択に応じて変わる、請求項８に記載のデータ通信装置。
【請求項１０】
前記データ通信装置は、複数の可能な選択結果のうちの１つとして、参照シンボル位置（１８４４ａ）が、選択された送信シンボル位置のグループ（１８４４）の先頭に位置する場合を選択するように構成される、請求項８または請求項９に記載のデータ通信装置。
【請求項１１】
前記データ通信装置は、複数の可能な選択結果のうちの１つとして、参照シンボル位置（１８４６ａ）が選択された送信シンボル位置のグループ（１８４６）の末尾に位置する場合を選択するように構成される、請求項８または請求項９または請求項１０に記載のデータ通信装置。
【請求項１２】
前記データ通信装置は、複数の可能な選択結果のうちの１つとして、参照シンボル位置（１８４５ａ）が、選択された送信シンボル位置のグループ（１８４５）の内部に位置する場合を選択するように構成される、請求項８ないし請求項１１のいずれかに記載のデータ通信装置。
【請求項１３】
前記データ通信装置は、複数の可能な選択結果のうちの１つとして、参照シンボル位置が、選択された送信シンボル位置のグループの先頭、および選択された送信シンボル位置のグループの末尾の両方に位置する場合を選択するように構成される、請求項８ないし請求項１２のいずれかに記載のデータ通信装置。
【請求項１４】
前記データ通信装置は、長さが異なる送信シンボル位置のグループ（１８４０，１８４２；１８４２，１８４３；１８４４，１８４５，１８４６）間での選択が可能なように構成され、前記データ通信装置は、長さは同じだが関連付けられた参照シンボル位置（１８４４ａ，１８４５ａ，１８４６ａ）が異なる送信シンボル位置（１８４４，１８４５，１８４６）のグループ間の選択を可能にするように構成される、請求項８ないし請求項１３のいずれかに記載のデータ通信装置。
【請求項１５】
前記データ通信装置は、粒度がサブフレームの長さよりも小さい、またはスロットの長さよりも小さい送信シンボル位置のグループを選択するように構成される、請求項８ないし請求項１４のいずれかに記載のデータ通信装置。
【請求項１６】
前記データ通信装置は、１つの送信シンボル位置の粒度または２つの送信シンボル位置の粒度の送信シンボル位置のグループを選択するように構成される、請求項８ないし請求項１５のいずれかに記載のデータ通信装置。
【請求項１７】
前記データ通信装置は、サブフレーム内で、複数の異なる送信シンボル位置のグループが選択できる粒度の送信シンボル位置のグループを選択するように構成される、請求項８ないし請求項１６のいずれかに記載のデータ通信装置。
【請求項１８】
前記データ通信装置は、前記選択された送信シンボル位置のグループの時間的広がりに応じて、および／または、前記選択された送信シンボル位置のグループのサブフレーム内での時間的位置に応じて、および／または、選択された送信シンボル位置のグループのサブフレーム内での周波数位置に応じて、前記送信シンボル位置のグリッドにおける、前記選択された送信シンボル位置のグループに対する１つまたは複数の相対位置を変えるように構成される、請求項８ないし請求項１７のいずれかに記載のデータ通信装置。
【請求項１９】
前記データ通信装置は、参照シンボル位置として、前記選択された送信シンボル位置のグループの時間的開始点におけるシンボル位置、または前記選択された送信シンボル位置のグループの時間的終了点におけるシンボル位置を選択するように構成される、請求項８ないし請求項１８のいずれかに記載のデータ通信装置。
【請求項２０】
前記データ通信装置は、参照シンボル位置として、前記選択された送信シンボル位置のグループ（１９４０）が、別のデータ通信装置に関連付けられた送信シンボル部分の別のグループ（１９４２）と隣接または重なり合う同じサブフレーム内のシンボル位置（１９４０ａ）を選択するように構成される、請求項８ないし請求項１９のいずれかに記載のデータ通信装置。
【請求項２１】
前記データ通信装置は、サブフレーム内の前記選択された送信シンボル位置のグループの位置に応じて、前記選択された送信シンボル位置のグループに関連するいくつかの参照シンボル位置を選択するように構成される、請求項８ないし請求項２０のいずれかに記載のデータ通信装置。
【請求項２２】
前記データ通信装置は、サブフレーム内の隣接する前記送信シンボル位置のグループの数に応じて、前記選択された送信シンボル位置のグループに関連するいくつかの参照シンボル位置を選択するように構成される、請求項２１に記載のデータ通信装置。
【請求項２３】
前記データ通信装置は、前記選択された送信シンボル位置のグループに関連するいくつかの参照シンボル位置を選択するように構成され、１つの参照シンボル位置（６１０；６２０）のみが、前記サブフレームの時間的境界に隣接する、選択可能な送信シンボル位置のグループ（６０８；６２２）に関連付けられ、そして、
２つ以上の参照シンボル位置（６１０；６２０）が、前記サブフレームの両方の時間的境界から離れている少なくとも１つの選択可能な送信シンボル位置のグループ（６１４）に関連付けられている、請求項２１または請求項２２に記載のデータ通信装置。
【請求項２４】
前記データ通信装置は、前記選択された送信シンボル位置のグループの時間的広がりが、サブフレームの時間的広がりよりも短くなるように、前記送信シンボル位置のグループを選択するように構成される、請求項８ないし請求項２３のいずれかに記載のデータ通信装置。
【請求項２５】
送信シンボル位置の２次元グリッドを含むフレーム内で１つまたは複数のデータブロック（１９１０）を送信するためのデータ通信装置（１９００）であって、
前記データ通信装置は、データ部分の送信のために、送信シンボル位置の前記２次元グリッドのサブセットである送信シンボル位置のグループを選択するように構成され、そして、
前記データ通信装置は、送信シンボル位置のグループの前記選択に応じて、前記選択された送信シンボル位置のグループ（１９４０；１９４２ａ）に関連する１つまたは複数の参照シンボル（１９４０ａ；１９４２ａ）の多重化特性（９１０；９２０；１９８０；１９９０）を選択するように構成される、データ通信装置（１９００）。
【請求項２６】
送信シンボル位置の２次元グリッドを含むフレーム内で１つまたは複数のデータブロック（１９４１）を送信するためのデータ通信装置（１９００）であって、
前記データ通信装置は、データ部分の送信のために、送信シンボル位置の前記２次元グリッドのサブセットである送信シンボル位置のグループ（１９４０；１９４２）を選択するように構成され、
前記データ通信装置は、多重化特性のグループを定義する多重化グループ選択情報（１９６２）に応じて、および、前記多重化グループ選択情報によって定義される多重化特性のグループに含まれる複数の多重化特性のうちのどの多重化特性を使用すべきかを定義する多重化特性選択（１９６４）情報に応じて、前記選択された送信シンボル位置のグループに関連する１つまたは複数の参照シンボル（１９４０ａ；１９４２ａ）の多重化特性（１９８０；１９９０）を選択するように構成される、データ通信装置（１９００）。
【請求項２７】
前記データ通信装置は、前記データ通信装置が登録されている通信セルのセル識別子から前記多重化グループ選択情報を導出するように構成される、請求項２６に記載のデータ通信装置。
【請求項２８】
様々な多重化特性のグループに含まれる多重化特性は、直交多重化コードまたは直交多重化パターンを定義する、請求項２６または請求項２７に記載のデータ通信装置。
【請求項２９】
前記データ通信装置は、前記多重特性選択情報を、前記多重化グループ選択情報よりも頻繁に更新または受信するように構成される、請求項２６ないし請求項２８のいずれかに記載のデータ通信装置。
【請求項３０】
送信シンボル位置の２次元グリッドを含むフレーム内で１つまたは複数のデータブロック（１９１０）を送信するためのデータ通信装置（１９００）であって、
前記データ通信装置は、データ部分の送信のために、送信シンボル位置の前記２次元グリッドのサブセットである送信シンボル位置のグループ（１９４０，１９４２）を選択するように構成され、
前記データ通信装置は、前記選択された送信シンボル位置のグループに関連する複数の参照シンボル（１９４０ａ，１９４２ａ）の多重化特性（１９８０，１９９０）を選択するように構成され、
前記データ通信装置は、少なくとも送信シンボル位置を記述する第１の多重化パターン（１９８０）および送信シンボル位置を記述する第２の多重化パターン（１９９０）から前記多重化特性を選択するように構成され、
前記第１の多重化パターンは、前記第２の多重化パターンも使用する少なくとも１つの共有送信シンボル位置（１９８２）と、前記第２の多重化パターンは使用しない少なくとも１つの排他的送信シンボル位置（１９８４）とを含み、
前記第２の多重化パターンは、前記共有送信シンボル位置と、前記第１の多重化パターンは使用しない少なくとも１つの排他的送信シンボル位置（１９８６）とを含む、データ通信装置（１９００）。
【請求項３１】
前記第１の多重化パターンは、使用される排他的送信シンボル位置とその間の１つまたは複数の未使用送信シンボル位置との交互のシーケンスを含み、
前記第２の多重化パターンは、使用される排他的送信シンボル位置とその間の１つまたは複数の未使用送信シンボル位置との交互のシーケンスを含み、
前記第１の多重化パターンと前記第２の多重化パターンとの間で、最高周波数の送信シンボル位置および／または最低周波数の送信シンボル位置が共有される、請求項３０に記載のデータ通信装置。
【請求項３２】
他のデータ通信装置（１７００，１８００，１９００）から複数のデータブロック（２０２０）を受信するためのデータ通信装置（２０００）であって、前記データブロックは、送信シンボル位置の２次元グリッドを含むフレーム内の送信シンボル位置の複数のグループの送信シンボルによって表され、
前記データ通信装置は、どの送信シンボル位置のグループ（１７４０；１８４０，１８４１，１８４２，１８４３，１８４４，１８４５，１８４６）が前記他のデータ通信装置のうちのどれによって使用されるべきであるかを前記他のデータ通信装置にシグナリングするように構成され、
前記データ通信装置は、前記他のデータ通信装置のうちの所与の１つが使用する送信シンボル位置のグループを記述する情報（２０４０）と、前記他のデータ通信装置のうちの前記所与の１つが使用する前記送信シンボル位置のグループに対する参照シンボル位置（１７５０；１７５２；１７５４；１７５６，１７５８；１８４０ａ，１８４１ａ，１８４２ａ，１８４３ａ，１８４４ａ，１８４５ａ，１８４６ａ）の所望の相対位置を記述する情報（１７１１；ＤＭＲＳ＿ｐｏｓｉｔｉｏｎ）とを提供するように構成される、データ通信装置（２０００）。
【請求項３３】
前記データ通信装置は、参照シンボル位置が、前記他のデータ通信装置のうちの前記所与の１つが使用する送信シンボル位置のグループの先頭にあるか、または前記他のデータ通信装置のうちの前記所与の１つが使用する送信シンボル位置のグループの末尾にあるかを示す情報を提供するように構成される、請求項３２に記載のデータ通信装置。
【請求項３４】
参照シンボル位置が、前記他のデータ通信装置のうちの前記所与の１つが使用する送信シンボル位置のグループの先頭にあるか、前記他のデータ通信装置のうちの前記所与の１つが使用する送信シンボル位置のグループの末尾にあるかを示す前記情報（ＤＭＲＳ位置）は、１ビットの情報である、請求項３３に記載のデータ通信装置。
【請求項３５】
前記データ通信装置は、参照シンボル位置が、前記他のデータ通信装置のうちの前記所与の１つが使用する送信シンボル位置のグループの先頭にあるか、または前記他のデータ通信装置のうちの前記所与の１つが使用する送信シンボル位置のグループの末尾にあるか、または前記他のデータ通信装置のうちの前記所与の１つが使用する送信シンボル位置のグループの内部にあること、あるいは、前記他のデータ通信装置のうちの前記所与の１つが使用する送信シンボル位置のグループの先頭と末尾の両方に参照シンボル位置があること、を示す情報を提供するように構成される、請求項３２に記載のデータ通信装置。
【請求項３６】
参照シンボル位置が、前記他のデータ通信装置のうちの前記所与の１つが使用する送信シンボル位置のグループの先頭にあるか、または前記他のデータ通信装置のうちの前記所与の１つが使用する送信シンボル位置のグループの末尾にあるか、または前記他のデータ通信装置のうちの所与の１つが使用する送信シンボル位置のグループの内部にあること、あるいは、前記他のデータ通信装置のうちの前記所与の１つが使用する送信シンボル位置のグループの先頭と末尾の両方に参照シンボル位置があること、を示す情報は、２ビットの情報である、請求項３５に記載のデータ通信装置。
【請求項３７】
データ通信装置は、前記他のデータ通信装置のうちの前記所与の１つが使用する前記送信シンボル位置のグループに対する参照シンボル位置の所望の相対位置を記述する情報を、それぞれの前記送信シンボル位置のグループが２つの送信シンボル位置を含む場合には１ビット情報として、そして、それぞれの前記送信シンボル位置のグループが３つ以上の送信シンボル位置を含む場合には２ビット情報として、選択的に提供するように構成される、または、
データ通信装置は、前記他のデータ通信装置のうちの前記所与の１つが使用する前記送信シンボル位置のグループに対する参照シンボル位置の所望の相対位置を記述する情報を、それぞれの前記送信シンボル位置のグループの時間的広がりに応じて、１ビット情報として、または２ビット情報として、選択的に提供するように構成される、請求項３２ないし請求項３６のいずれかに記載のデータ通信装置。
【請求項３８】
他のデータ通信装置（１７００，１８００，１９００）から複数のデータブロック（２０２０）を受信するためのデータ通信装置（２０００）であって、データブロックは、送信シンボル位置の２次元グリッドを含むフレーム内の送信シンボル位置のグループの送信シンボルによって表され、
前記データ通信装置は、前記他のデータ通信装置に通信リソース情報（２０４０）を提供するように構成され、
前記通信リソース情報は、送信シンボル位置の割り当てを表すとと共に、どの送信シンボル位置のグループが前記他のデータ通信装置のうちのどれによって使用されるか、および前記送信シンボル位置のうちのどれが、前記他のデータ通信装置のうちのどれによって参照シンボルの送信のために使用されるかを記述し、
データ通信装置は、現在の通信状態に応じて、送信シンボル位置の異なる割り当てをシグナリングするように構成され、
参照シンボルの前記送信のために使用される前記送信シンボル位置は、送信シンボル位置の異なる割り当ての間で、または送信シンボル位置の所与の割り当てについて、前記フレームのタイムスロットの境界に対して、もしくは前記フレームのサブフレームの境界に対して可変である、および／または、
参照シンボルの前記送信のために使用される前記送信シンボル位置は、送信シンボル位置の異なる割り当ての間で、または送信シンボル位置の所与の割り当てについて、対応する送信シンボル位置のグループに対して可変である、データ通信装置（２０００）。
【請求項３９】
前記データ通信装置は、可能な通信状態のうちの少なくとも１つにおいて、参照シンボル位置が、前記他のデータ通信装置のうちの所与の１つが使用する送信シンボル位置のグループの先頭に位置することを示す通信リソース情報を提供するように構成される、請求項３２ないし請求項３８のいずれかに記載のデータ通信装置。
【請求項４０】
前記データ通信装置は、前記可能な通信状態のうちの少なくとも１つにおいて、参照シンボル位置が、前記他のデータ通信装置のうちの所与の１つが使用する送信シンボル位置のグループの末尾に位置することを示す通信リソース情報を提供するように構成される、請求項３２ないし請求項３９のいずれかに記載のデータ通信装置。
【請求項４１】
前記データ通信装置は、前記可能な通信状態のうちの少なくとも１つにおいて、参照シンボル位置が、前記他のデータ通信装置のうちの所与の１つが使用する送信シンボル位置のグループの内部に位置することを示す通信リソース情報を提供するように構成される、請求項３２ないし請求項４０のいずれかに記載のデータ通信装置。
【請求項４２】
前記データ通信装置は、前記可能な通信状態のうちの少なくとも１つにおいて、参照シンボル位置が、前記他のデータ通信装置のうちの所与の１つが使用する送信シンボル位置のグループの先頭および末尾の両方に位置することを示す通信リソース情報を提供するように構成される、請求項３２ないし請求項４１のいずれかに記載のデータ通信装置。
【請求項４３】
前記データ通信装置は、異なる長さの送信シンボル位置のグループの割り当てが可能なように構成され、且つ、前記データ通信装置は、単一の通信状態および／または異なる通信状態の間、同じ長さを有するが、関連する参照シンボル位置が異なる、送信シンボル位置のグループの割り当てが可能なように構成される、請求項３２ないし請求項４２のいずれかに記載のデータ通信装置。
【請求項４４】
他のデータ通信装置（１７００，１８００，１９００）から複数のデータブロック（２０２０）を受信するためのデータ通信装置（２０００）であって、データブロックは、送信シンボル位置の２次元グリッドを含むフレーム内の送信シンボル位置のグループの送信シンボルによって表され、
前記データ通信装置は、前記他のデータ通信装置に通信リソース情報（２０４０）を提供するように構成され、
前記通信リソース情報は、送信シンボル位置の割り当てを表すと共に、どの送信シンボル位置のグループが前記他のデータ通信装置のうちのどれによって使用されるか、および前記送信シンボル位置のうちのどれが、前記他のデータ通信装置のうちのどれによって参照シンボルの送信のために使用されるかを記述し、
前記データ通信装置は、少なくとも２つの他のデータ通信装置に前記通信リソース情報を提供して、前記少なくとも２つの他のデータ通信装置の間で、参照シンボルの送信のための送信シンボル位置（５１０；６１０，６２０；７０５，７１０，７１５，７２０；８１０；８２０；９１０，９１４）の共有を行わせるように構成される、データ通信装置（２０００）。
【請求項４５】
前記データ通信装置は、前記通信リソース情報を少なくとも２つの他のデータ通信装置に提供して、第１の時間的レンジと第１の周波数レンジをカバーする第１の送信シンボル位置のグループが割り当てられる第１の他のデータ通信装置と、
第２の時間的レンジと、前記第１の周波数レンジと部分的に重なる第２の周波数レンジをカバーする第２の送信シンボル位置のグループが割り当てられる第２のデータ通信装置と、
第３の時間的レンジと、前記第１の周波数レンジと部分的に重なる第３の周波数レンジをカバーする第３の送信シンボル位置のグループが割り当てられる第３のデータ通信装置との間で、参照シンボルの送信のための送信シンボル位置（５１０；７１０）の共有を行わせるように構成される、請求項４４に記載のデータ通信装置。
【請求項４６】
前記データ通信装置は、前記通信リソース情報を少なくとも２つの他のデータ通信装置に提供して、比較的短い送信長が関連付けられている第１のデータ通信装置に、参照シンボルの送信のための送信シンボル位置（６１０）を他の１つのデータ通信装置とのみ共有させ、また、
比較的長い送信長が関連付けられている第２のデータ通信装置に、参照シンボルの送信のための送信シンボル位置（６１０，６２０）を２つ以上の他のデータ通信装置と共有させるように構成される、請求項４４または請求項４５に記載のデータ通信装置。
【請求項４７】
前記データ通信装置は、１つまたは複数の参照シンボルの送信のため、前記第２のデータ通信装置に、前記第２のデータ通信装置に関連付けられた送信シンボル位置のグループの先頭にある１つまたは複数の送信シンボル位置（６１０）を前記第１のデータ通信装置と共有させるように構成され、且つ、
前記データ通信装置は、１つまたは複数の参照シンボルの送信のため、前記第２のデータ通信装置に、前記第２のデータ通信装置に関連付けられた送信シンボル位置のグループの末尾にある１つまたは複数の送信シンボル位置（６２０）を第３のデータ通信装置と共有させるように構成される、請求項４６に記載のデータ通信装置。
【請求項４８】
前記データ通信装置は、所与の他のデータ通信装置が、１つまたは複数の参照シンボルの前記送信のために、前記所与のデータ送信装置に関連する送信間隔の長さに応じて、および／またはチャネル状態に応じて、および／または信号対雑音比に応じて、１つまたは複数の他のデータ通信装置と送信シンボル位置を共有するように指示されたかどうかを決定するように構成される、請求項４４ないし請求項４７のいずれかに記載のデータ通信装置。
【請求項４９】
通信リソース情報は、装置固有の情報項目を使用して、前記他のデータ通信装置への送信シンボル位置の割り当てを定義する、または
前記通信リソース情報は、複数の予め定義された送信シンボル位置の同時割り当ての中から、複数の他のデータ送信装置への送信シンボル位置の同時割り当ての選択を記述する同時情報項目を含む、請求項４４ないし請求項４８のいずれかに記載のデータ通信装置。
【請求項５０】
前記データ通信装置は、多重化特性のグループに含まれる複数の多重化特性のうちのどの多重化特性が、少なくとも１つの他のデータ通信装置によって使用されるべきかを定義する多重化特性選択情報を提供するように構成される、請求項４４ないし請求項４９のいずれかに記載のデータ通信装置。
【請求項５１】
前記データ通信装置は、前記データ通信装置と通信中の他のデータ通信装置に、少なくとも送信シンボル位置を記述する第１の多重化パターンと送信シンボル位置を記述する第２の多重化パターンの中から、多重化特性を選択するように指示する多重化特性選択情報（１９６２，１９６４）を提供するように構成され、
前記第１の多重化パターン（１９８０）は、前記第２の多重化パターンも使用する少なくとも１つの共有送信シンボル位置と、前記第２の多重化パターンは使用しない少なくとも１つの排他的送信シンボル位置とを含み、
前記第２の多重化パターン（１９９０）は、前記共有送信シンボル位置と、前記第１の多重化パターンは使用しない少なくとも１つの排他的送信シンボル位置とを含む、請求項４４ないし請求項５０のいずれかに記載のデータ通信装置。
【請求項５２】
前記第１の多重化パターンは、使用される排他的送信シンボル位置とその間の１つまたは複数の未使用送信シンボル位置との交互のシーケンスを含み、
前記第２の多重化パターンは、使用される排他的送信シンボル位置とその間の１つまたは複数の未使用送信シンボル位置との交互のシーケンスを含み、
前記第１の多重化パターンと前記第２の多重化パターンとの間で、最高周波数の送信シンボル位置および／または最低周波数の送信シンボル位置が共有される、請求項５１に記載のデータ通信装置。
【請求項５３】
データ通信システムは、
請求項３２ないし請求項５２のいずれかに記載の第１のデータ通信装置（１０１０；２０００）と、
請求項３２ないし請求項５２のいずれかに記載の第２のデータ通信装置（１０２０；２０００）と、
前記第１のデータ通信装置とリンクされた第１の他のデータ通信装置（１０３０；１７００，１８００，１９００）と、
前記第２のデータ通信装置とリンクされた第２の他のデータ通信装置（１０３０；１７００，１８００，１９００）と、
を備え、
前記第１の他のデータ通信装置は、前記第１のデータ通信装置によって提供される多重化特性選択情報（１９６４）に応じて、多重化特性の前記第１の他のデータ通信装置に関連付けられた選択された送信シンボル位置のグループに関連付けられた１つまたは複数の参照シンボルの多重化特性を、第１のグループを含む複数の多重化特性から選択するように構成され、そして、
前記第２の他のデータ通信装置は、前記第２のデータ通信装置によって提供される多重化特性選択情報（１９６４）に応じて、多重化特性の第２のグループに含まれる複数の多重化特性から、前記第２の他のデータ通信装置に関連付けられた選択された送信シンボル位置のグループに関連付けられた１つまたは複数の参照シンボルの多重化特性を選択するように構成される、データ通信システム。
【請求項５４】
前記第１の他のデータ通信装置は、前記第１のデータ通信装置のセル識別子から、前記第１の多重化特性グループを選択するために使用される多重化グループ選択情報（１９６２）を導出するように構成される、請求項５３に記載のデータ通信システム。
【請求項５５】
送信シンボル位置の２次元グリッドを含むフレーム内で１つまたは複数のデータブロックを送信するための方法であって、
前記方法は、データ部分の送信のために、送信シンボル位置の２次元グリッドのサブセットである送信シンボル位置のグループを選択するステップを含み、
前記方法は、前記選択された送信シンボル位置のグループに関連付けられた１つまたは複数の参照シンボル位置（ＤＭＲＳ）を、前記選択された送信シンボル位置のグループに対する参照シンボル位置の所望の相対位置を記述する情報（ＤＭＲＳ＿ｐｏｓｉｔｉｏｎ）に基づいて、複数の可能性から選択するステップを含む、方法。
【請求項５６】
送信シンボル位置の２次元グリッドを含むフレーム内で１つまたは複数のデータブロックを送信するための方法であって、
前記方法は、データ部分の送信のために、送信シンボル位置の前記２次元グリッドのサブセットである送信シンボル位置のグループを選択するステップを含み、
前記選択された送信シンボル位置のグループに１つまたは複数の参照シンボル位置（ＤＭＲＳ）が関連付けられ、
前記方法は、前記送信シンボル位置のグループの選択に基づいて、または前記送信シンボル位置のグループの選択に伴って、どの１つまたは複数のシンボル位置を１つまたは複数の参照シンボル位置として使用するかを決定するステップを含み、そして、
前記参照シンボル位置は、前記フレームのタイムスロットの境界に対して、または前記フレームのサブフレームの境界に対して可変である、または、
前記１つまたは複数の参照シンボル位置は、前記選択された送信シンボル位置のグループに対して可変である、方法。
【請求項５７】
送信シンボル位置の２次元グリッドを含むフレーム内で１つまたは複数のデータブロックを送信するための方法であって、
前記方法は、データ部分の送信のために、送信シンボル位置の前記２次元グリッドのサブセットである送信シンボル位置のグループを選択するステップを含み、
前記方法は、前記送信シンボル位置のグループの前記選択に応じて、前記選択された送信シンボル位置のグループに関連する１つまたは複数の参照シンボルの多重化特性を選択するステップを含む、方法。
【請求項５８】
送信シンボル位置の２次元グリッドを含むフレーム内で１つまたは複数のデータブロックを送信するための方法であって、
前記方法は、データ部分の送信のために、送信シンボル位置の前記２次元グリッドのサブセットである送信シンボル位置のグループを選択するステップを含み、
前記方法は、多重化特性のグループを定義する多重化グループ選択情報に応じて、および、前記多重化グループ選択情報によって定義される多重化特性のグループに含まれる複数の多重化特性のうちのどの多重化特性を使用すべきかを定義する多重化特性選択情報に応じて、前記選択された送信シンボル位置のグループに関連する１つまたは複数の参照シンボルの多重化特性を選択するステップを含む、方法。
【請求項５９】
送信シンボル位置の２次元グリッドを含むフレーム内で１つまたは複数のデータブロックを送信するための方法であって、
前記方法は、データ部分の送信のために、送信シンボル位置の前記２次元グリッドのサブセットである送信シンボル位置のグループを選択するステップを含み、
前記方法は、前記選択された送信シンボル位置のグループに関連する複数の参照シンボルの多重化特性を選択するステップを含み、
前記多重化特性は、少なくとも送信シンボル位置を記述する第１の多重化パターンおよび送信シンボル位置を記述する第２の多重化パターンから選択され、
前記第１の多重化パターンは、前記第２の多重化パターンも使用する少なくとも１つの共有送信シンボル位置と、前記第２の多重化パターンは使用しない少なくとも１つの排他的送信シンボル位置とを含み、
前記第２の多重化パターンは、前記共有送信シンボル位置と、前記第１の多重化パターンは使用しない少なくとも１つの排他的送信シンボル位置とを含む、方法。
【請求項６０】
データ通信装置において、他のデータ通信装置から複数のデータブロックを受信するための方法であって、前記データブロックは、送信シンボル位置の２次元グリッドを含むフレーム内の送信シンボル位置の複数のグループの送信シンボルによって表され、
前記方法は、どの送信シンボル位置のグループが前記他のデータ通信装置のうちのどれによって使用されるべきであるかを前記他のデータ通信装置にシグナリングするステップを含み、
前記方法は、前記他のデータ通信装置のうちの所与の１つが使用する送信シンボル位置のグループを記述する情報と、前記他のデータ通信装置のうちの前記所与の１つが使用する送信シンボル位置のグループに対する参照シンボル位置の所望の相対位置を記述する情報とを提供するステップを含む、方法。
【請求項６１】
データ通信装置において、他のデータ通信装置から複数のデータブロックを受信するための方法であって、データブロックは、送信シンボル位置の２次元グリッドを含むフレーム内の送信シンボル位置のグループの送信シンボルによって表され、
前記方法は、前記他のデータ通信装置に通信リソース情報を提供するステップを含み、
前記通信リソース情報は、送信シンボル位置の割り当てを表すと共に、どの送信シンボル位置のグループが前記他のデータ通信装置のうちのどれかによって使用されるか、および前記送信シンボル位置のうちのどれが、前記他のデータ通信装置のうちのどれによって参照シンボルの通信のために使用されるかを記述し、
前記方法は、現在の通信状態に応じて、送信シンボル位置の異なる割り当てをシグナリングするステップを含み、
参照シンボルの前記送信のために使用される前記送信シンボル位置は、送信シンボル位置の異なる割り当ての間で、前記フレームのタイムスロットの境界に対して、もしくは前記フレームのサブフレームの境界に対して可変である、または、
参照シンボルの前記送信のために使用される前記送信シンボル位置は、送信シンボル位置の異なる割り当ての間で、対応する送信シンボル位置のグループに対して可変である、方法。
【請求項６２】
他のデータ通信装置において、他のデータ通信装置から複数のデータブロックを受信するための方法であって、データブロックは、送信シンボル位置の２次元グリッドを含むフレーム内の送信シンボル位置のグループの送信シンボルによって表され、
前記方法は、他のデータ通信装置に通信リソース情報を提供するステップを含み、
前記通信リソース情報は、送信シンボル位置の割り当てを表すと共に、どの送信シンボル位置のグループが前記他のデータ通信装置のうちのどれによって使用されるか、および前記送信シンボル位置のうちのどれが、前記他のデータ通信装置のうちのどれによって参照シンボルの通信のために使用されるかを記述し、
前記方法は、少なくとも２つの他のデータ通信装置に前記通信リソース情報を提供して、前記少なくとも２つの他のデータ通信装置の間で、参照シンボルの送信のための送信シンボル位置の共有を行わせるステップを含む、方法。
【請求項６３】
第１のデータ通信装置と、前記第１のデータ通信装置とリンクされた第１の他のデータ通信装置との間の通信のための、そして、第２のデータ通信装置と、前記第２のデータ通信装置とリンクされた第２の他のデータ通信装置との間の通信のためのデータ通信方法であって、前記方法は、
前記第１の他のデータ通信装置において、前記第１のデータ通信装置によって提供される多重化特性選択情報（１９６４）に応じて、多重化特性の前記第１の他のデータ通信装置に関連付けられた選択された送信シンボル位置のグループに関連付けられた１つまたは複数の参照シンボルの多重化特性を、第１のグループを含む複数の多重化特性から選択するステップと、
前記第２の他のデータ通信装置において、前記第２のデータ通信装置によって提供される多重化特性選択情報（１９６４）に応じて、多重化特性の第２のグループに含まれる複数の多重化特性から、前記第２の他のデータ通信装置に関連付けられた選択された送信シンボル位置のグループに関連付けられた１つまたは複数の参照シンボルの多重化特性を選択するステップと、
を含み、
様々な多重化特性グループに含まれる多重化特性は、直交多重化コードと直交多重化パターンを定義する、方法。
【請求項６４】
コンピュータプログラムがコンピュータで動くときに、請求項５６ないし請求項６４のいずれかに記載の方法を実行するためのコンピュータプログラム。
【発明の詳細な説明】
【技術分野】
【０００１】
技術分野
本発明による実施形態は、送信シンボル位置の２次元グリッドを含むフレーム内で１つまたは複数のデータブロックを送信するためのデータ通信装置に関する。
【０００２】
本発明による更なる実施形態は、他のデータ通信装置から複数のデータブロックを受信するためのデータ通信装置に関する。
【０００３】
本発明による他の実施形態はデータ通信システムに関する。
【０００４】
本発明による更なる他の実施形態は、送信シンボル位置の２次元グリッドを含むフレーム内で１つまたは複数のデータブロックを送信する方法、および他のデータ通信装置から複数のデータブロックを受信する方法に関する。
【０００５】
本発明の他の実施形態はデータ通信方法に関する。
【０００６】
本発明による他の実施形態は、前記方法のうちの１つを実行するためのコンピュータプログラムに関する。
【背景技術】
【０００７】
発明の背景
いくつかの通信システムでは、待ち時間短縮は改善のための重要な側面となっている。
【０００８】
待ち時間の短縮の目的は、次世代のモバイル通信システム、例えば、３ＧＰＰ無線アクセス技術（ＲＡＴ）における遅延を低減するために、無線フレーム構造、ＰＨＹおよびＭＡＣプロトコルを修正することである。これは、ファイルサイズが小さい場合に特に重要である。送信時間間隔（ＴＴＩ）と処理時間を短縮すると、ユーザープレーンの待ち時間が大幅に短縮され、ＴＣＰスループットが向上する。さらに、待ち時間がより短いと、ＵＥは「飛行中のデータ」をバッファするのに必要なＬ２メモリを減らすことができ、特定の遅延限度内でより頻繁に再送信することができるため、より頑強性が可能になる。これにより、ゲーム、音声、またはビデオテレフォニー／会議など、今日の遅延に敏感なリアルタイムアプリケーションの知覚品質が直接向上し、重要なＭＴＣアプリケーションなどの新しい将来の使用時例に、より適切な方法で対処できる。
【０００９】
制御シンボル、例えば、上りリンク内の参照シンボルの送信に使用されるリソースの数を減らすことは、データ・チャネルに利用可能なより多くのリソースを有するリソースのより効率的な使用を可能にすることが分かった。したがって、データ・チャネル上の待ち時間が短縮される。制御チャネル最適化は、信号を多重化することによって達成することができる。
【００１０】
エリクソンとクアルコムは、上りリンクでパイロットトーンを送信するオーバーヘッドを減らすために短い物理上りリンク共有チャネル（ｓＰＵＳＣＨ）を使用するときに、いくつかのユーザ機器（ＵＥ）の復調基準シンボル（ＤＭＲＳ）の多重化をサポートすることを提案した。
【００１１】
従来のＬＴＥ上りリンクサブフレームを図１に示す。現在、物理上りリンク共有チャネル（ＰＵＳＣＨ）上にある。１つのＵＥは、１４個のＯＦＤＭシンボルからなる１サブフレーム分のリソースを占有する。各スロットは、全送信帯域幅にわたる１つのＤＭＲＳシンボルを含む。サブフレームによっては、最後に、Ｓｏｕｎｄｉｎｇ  Ｒｅｆｅｒｅｎｃｅ  Ｓｙｍｂｏｌ（ＳＲＳ）がある場合がある。これはＳＲＳスケジューリングパラメータの設定によって異なる。
【００１２】
待ち時間短縮に関する３ＧＰＰの研究項目では、送信時間間隔（ＴＴＩ）を１４個のＯＦＤＭシンボル（１ｍｓ）から減らすことが提案されている。２または３／３のＯＦＤＭシンボルを有する短いＴＴＩが議論の余地がある。図２は、ｓＴＴＩの長さが３／４と２シンボルの例を示している。より短いＴＴＩ長に移動すると、ＤＭＲＳシンボルのためのオーバーヘッドがより大きくなることが分かった。
【発明の概要】
【発明が解決しようとする課題】
【００１３】
この状況を考慮して、待ち時間とリソース効率との間のより良いトレードオフを可能にする概念を作り出すことが望まれている。
【課題を解決するための手段】
【００１４】
発明の開示
本発明による実施形態は、送信シンボル位置の２次元グリッドを含むフレーム内で、（例えば、各送信シンボル位置が１ブロックのデータに関連付けられた１つまたは複数のグループの送信シンボル位置を使用して）１つまたは複数のデータブロックを送信するためのデータ通信装置を作成する。データ送信装置は、データ部分（またはデータブロック）の送信のために、送信シンボル位置の２次元グリッドのサブセットである送信シンボル位置（例えば、ＯＦＤＭシンボル）のグループを、選択するように構成される。データ通信装置は、送信シンボル位置の選択されたグループに関連付けられた１つまたは複数の参照シンボル位置（例えば、基準ＯＦＤＭシンボル、すなわち、所定の変調内容または所定の複素数値を有し、ＯＦＤＭシンボルをコヒーレント受信するための基準として働くＯＦＤＭシンボル）を、選択された送信シンボル位置に対する参照シンボル位置の所望の相対位置を記述する情報に基づいて、複数の可能性から選択するように構成される。
【００１５】
換言すれば、データ通信装置は、例えば、選択された送信シンボル位置グループのどこ（どの送信シンボル位置）に、他のデータ通信装置側で有用なデータをコヒーレントに検出するための）が挿入される１つまたは複数の参照シンボル（例えば、チャネル特性を推定するためのパイロット的シンボル）を選択することができる。選択された送信シンボル位置のグループに対する（またはその中の）参照シンボル位置の所望の相対位置を記述する情報は、例えば、選択された送信シンボル位置のグループの（１つまたは複数の）時間的境界または（１つまたは複数の）周波数境界に対する参照シンボル位置の（相対）位置を記述することができる。
【００１６】
したがって、本発明によるこの実施形態は、選択された送信シンボル位置のグループに対する参照シンボル位置の所望の相対位置を記述する情報を使用することによって高度の柔軟性および効率的なシグナリングが得られるという発見に基づいている。このような相対位置情報は符号化が容易であり、例えば複数のデータ通信装置による参照シンボル位置の再使用（共有）を可能にする伝送方式内での参照シンボル位置の効率的な配置を可能にすることが分かった。特に、選択された送信シンボル位置のグループに対する参照シンボル位置の相対位置は、異なるアプリケーションシナリオ間で異なることが分かった。例えば、選択された送信シンボル位置グループの時間的始点または時間的終点に参照シンボル位置を配置することは、複数のデータ送信装置による前記参照シンボル位置の共有を可能にする。他方、選択された送信シンボル位置グループのほぼ中央に参照シンボル位置を配置することは、異なるデータ送信装置間で参照シンボル位置を共有することが望まれないかまたは要求されない場合に典型的に最適の結果をもたらす。他方、例えばフレーム境界に関するシグナリング参照シンボル位置によって引き起こされるシグナリング・オーバーヘッドを回避することができ、そのような「絶対」位置情報も柔軟なリソース割り当て方式多くの場合に必要とされないことが分かった。
【００１７】
結論として、上記の概念は、細かい粒度を有する送信シンボル位置の柔軟な選択の場合であっても、参照シンボル位置の非常に効率的なシグナリングを可能にする。
【００１８】
好ましい実施形態では、データ通信装置は、参照シンボル位置が選択された送信シンボル位置のグループの先頭（例えば、時間的な先頭）にあるか、または選択された送信シンボル位置のグループの末尾（例えば、時間的な末尾）にあるかどうかを示す情報を受信するように構成される。
【００１９】
さらに別の好ましい実施形態では、前記情報は１ビット情報である。
【００２０】
別の好ましい実施形態では、データ通信装置は、参照シンボル位置が選択された送信シンボル位置のグループの先頭にあるか（例えば、先頭にのみ）、もしくは選択された送信シンボル位置のグループの末尾にあるか、または選択された送信シンボル位置のグループの内部（例えば、少なくとも１つの非参照シンボル位置の前および少なくとも非参照シンボル位置）にあること、または、選択された送信シンボル位置のグループの先頭と末尾の両方に参照シンボル位置があること、を示す情報を受信するように構成される。これら４つの選択は、異なるデータ通信装置間での参照シンボルの共有に関する柔軟な決定に特によく適している。参照シンボル位置が、選択された送信シンボル位置のグループの内部にある場合、その結果、有効データ（例えば、アプリケーションデータまたはユーザ・データではなく固定パイロット・シンボル）に関連付けられる選択された送信シンボル位置のグループのシンボル位置は、時間的に参照シンボル位置の前にあり、そして、参照シンボル位置の後である有効データの送信に関連する（選択された送信シンボル位置のグループの）シンボル位置は、参照シンボル位置での参照シンボルが参照シンボル位置の後ろにあるように、参照シンボル位置の前の有効なデータシンボルおよび参照シンボル位置の後の有効なデータシンボルの両方に対して良好なチャネル推定を可能にすることを、確かにする。さらに、また、選択された送信シンボル位置のグループの先頭または選択した送信シンボル位置のグループの末尾に参照シンボル位置を配置することで、他のデータ通信装置との参照シンボル位置の共有が可能となる。さらに、選択された送信シンボル位置のグループの先頭と末尾の両方に参照シンボル位置を提供することは、他の２つのデータ通信装置との参照シンボル位置の共有を可能にする。
【００２１】
好ましい実施形態では、参照シンボル位置の相対位置を示す情報は２ビット情報である。
【００２２】
好ましい実施形態では、通信装置は、選択された送信シンボル位置のグループが２つの送信シンボル位置の長さを含むか、あるいは２つ以上の送信シンボル位置（例えば、時間的方向に）の長さを含むかに応じて、選択された送信シンボル位置のグループに対する（１つまたは複数の）参照シンボル位置の所望の相対位置を記述する１ビット情報、または、選択された送信シンボル位置のグループに対する参照シンボル位置の所望の相対位置を記述する２ビット情報を選択的に評価するように構成される。一般的に言えば、１ビット情報を使用するか２ビット情報を使用するかの決定は、選択された送信シンボル位置のグループの長さに応じて行うことができる。
【００２３】
したがって、選択された送信シンボル位置のグループに対する参照シンボル位置の所望の相対位置を記述する情報に必要なビットレートは、選択された送信シンボル位置のグループの長さ（例えば、時間的広がり）に適合させうる。したがって、ビットレートをかなり小さく保つことができ、無意味な情報の送信を回避することができる。
【００２４】
一般的に言って、データ通信装置は、選択された送信シンボル位置のグループが、送信シンボル位置の選択されたグループの時間的に広がりに応じて、２つの送信シンボル位置を含むか、または２つ以上の送信シンボル位置を含むかに応じて、選択された送信シンボル位置のグループに対する参照シンボル位置の所望の相対位置を記述する１ビット情報、または選択された送信シンボル位置のグループに対する参照シンボル位置の所望の相対位置を記述する２ビット情報を選択的に評価するように構成される。例えば、選択された送信シンボル位置のグループの時間的広がりが、所定のまたは規定された数のＯＦＤＭシンボル（例えば、４つのＯＦＤＭシンボル）に少なくとも等しい長さを有するとき、２ビット情報が使用されえ、それ以外の場合は、１ビット情報が使用されうる。
【００２５】
更なる実施形態において、データ通信装置は、複数のデータ通信装置（例えば、基地局から）の動作を調整する別のデータ通信装置から参照シンボル位置の所望の相対位置を記述する情報を受信するように構成される。したがって、データ通信装置は、他のデータ通信装置によって制御されるリソース割り当てに従って（相対）参照シンボル位置を選択することができる。
【００２６】
本発明による別の実施形態は、送信シンボル位置の２次元グリッドを含むフレーム内で１つまたは複数のデータブロックを送信するためのデータ通信装置を作成する。データ通信装置は、送信シンボル位置の２次元グリッドのサブセットである（例えば、いわゆる短い送信時間間隔（ｓＴＴＩ）の長さを有する）送信シンボル位置のグループをデータ部分（例えば、共通チャネル符号化を含むデータブロック）の送信のために選択するように構成される。選択された送信シンボル位置のグループに１つまたは複数の参照シンボル位置（例えば、いわゆる復調基準信号、ＤＭＲＳの送信に使用することができる）は、関連付けられる。データ通信装置は、送信シンボル位置のグループの選択に基づいて（例えば、選択された送信シンボル位置のグループ内の）、どの１つまたは複数のシンボル位置を１つまたは複数の参照シンボル位置として使用するかを決定するように構成される。参照シンボル位置は、フレームのタイムスロットの境界に対して、またはフレームのサブフレームの境界に対して可変でありうる。あるいは、またはさらに、１つまたは複数の参照シンボル位置は、選択された送信シンボル位置のグループに対して可変でありうる。換言すると、フレームのタイムスロットの１つまたは複数の境界に対する、またはフレームのサブフレームの１つまたは複数の境界に対する参照シンボル位置の（相対）位置（または位置）は、タイムスロット内のどこに、またはサブフレーム内のどこに送信シンボル位置の選択されたグループがあるか、に依存して変化しうる。例えば、タイムスロットの境界またはサブフレームの境界に対する参照シンボル位置の相対位置が、選択された送信シンボル位置のグループは存在するサブフレーム内のどこにあるかに応じて異なるようにデータ通信装置は構成されうる。例えば、データ通信装置は、例えば、選択された送信シンボル位置のグループがタイムスロットの先頭または第２のシナリオにおけるサブフレームの先頭より近い第１のシナリオ、および第２のシナリオのような異なるシナリオを扱うことができてもよい。しかしながら、第１のシナリオにおける選択された送信シンボル位置のグループに関連する参照シンボル位置間の相対位置（例えば、時間的距離）は、第２のシナリオにおける選択された送信シンボル位置のグループに関連する参照シンボル位置の（１つまたは複数のタイムスロットまたはサブフレームの１つまたは複数の境界に関する）相対的な位置（ｐｏｓｉｔｉｏｎ）または場所（ｌｏｃａｔｉｏｎ）とは異なる場合がある。したがって、参照シンボル位置の相対位置は、異なるシナリオ間で異なる可能性があり、これは参照シンボル位置が、タイムスロット（または異なるタイムスロット）の１つまたは複数の境界に関して、またはサブフレームの１つまたは複数の境界に関して、もはや固定されていないことを意味する。その結果、参照位置がタイムスロットの１つまたは複数の境界またはサブフレームの１つまたは複数の境界に関して固定されるというコンセプトと比較した場合、高度の柔軟性が得られる。その結果、送信シンボル位置のグループの選択のための細かい粒度が可能である。
【００２７】
また、参照シンボルの相対位置（例えば、タイムスロットの１つまたは複数の境界に対する、および／またはサブフレームの１つまたは複数の境界に対する相対的な位置）が、隣接する副搬送波、または少なくとも同じ物理リソースブロック（ＰＲＢ）内の副搬送波について、異なってもよいことにも留意されたい。
【００２８】
さらに、１つまたは複数の参照シンボル位置は、選択された送信シンボル位置のグループ（例えば、時間の方向や周波数の方向において、例えば、同一の時間的広がりまたは同一の全体的拡張を有する選択された送信シンボル位置グループのについても）に関して（例えば、に関連して）可変でありうる。したがって、フレームのタイムスロットの境界に対して、もしくはフレームのサブフレームの境界に対して、または選択された送信シンボル位置のグループの境界に対して固定される参照シンボル位置の固定グリッドを有する必要はもはやない。
【００２９】
したがって、本発明によるこの実施形態は、タイムスロットまたはフレームのサブフレームの境界に対して、および／または選択された送信シンボル位置のグループの境界に対して、参照シンボル位置が可変であるべきであり、そして、送信シンボル位置のグループの選択に依存するべきであるという発見に基づいている。したがって、（時間方向および／または周波数方向に）ある程度の広がりを有する送信シンボル位置のグループが選択された場合、選択された送信シンボル位置のグループ内の実際の参照シンボル位置は、選択された送信シンボル位置のグループがどこ（例えば、タイムスロットの１つまたは複数の境界に対して、またはサブフレームの１つまたは複数の境界に関連して評価される）に配置されるかに応じて変化しうる。さらに、この概念は、（例えば、タイムスロットの境界に対して、またはサブフレームの境界に対して）シンボル位置の２次元グリッド内の選択された送信シンボル位置のグループの位置決めに関して細かい粒度を可能にする。ここで、（例えば、１つのシンボル位置による）選択された送信シンボル位置のグループの小さな移動は、前記選択された送信シンボル位置のグループに関連する１つまたは複数の参照シンボル位置の対応する移動をもたらしうる。さらに、この概念は、１つのタイムスロットまたはサブフレーム内で異なる時間的広がりおよび／または周波数拡張を有する異なるデータ送信装置に関連する送信シンボル位置のグループを組み合わせることを可能にする。さらに、参照シンボル位置の配置に関して柔軟性をうることによって、異なるデータ通信装置間で参照シンボル位置を共有することも可能になる。これは、ある時間的広がりおよび／または周波数拡張を有する選択された送信シンボル位置のグループ内の参照シンボル位置が、同じサイズ（例えば、時間方向および／または周波数方向における同じ拡張）を有する送信シンボル位置のグループを考慮に入れても、送信シンボル位置の２次元グリッド内のどこに選択された送信シンボル位置を配置するかに応じて変わることがあるためである。
【００３０】
好ましい実施形態において、フレームのタイムスロットの（１つまたは複数の）境界に対する、またはフレームのサブフレームの（１つまたは複数の）境界に対する参照シンボル位置の位置は、送信シンボル位置のグループ（例えば、同じサイズを有する送信シンボル位置のグループを考慮に入れても）の実際の選択に応じて変わる。
【００３１】
好ましい実施形態では、データ通信装置は、（例えば、所与の長さまたはサイズを有する選択された送信シンボル位置のグループの先頭で）複数の可能な選択結果のうちの１つとして、参照シンボル位置が選択された送信シンボル位置のグループの先頭に位置する場合を選択するように構成される。
【００３２】
あるいは、または加えて、データ通信装置は、複数の可能な選択結果のうちの１つとして、参照シンボル位置が、（例えば、所与の長さまたはサイズを有する選択された送信シンボル位置のグループのための）選択された送信シンボル位置のグループの末尾に位置するケースを選択するように構成されうる。
【００３３】
あるいは、または加えて、データ通信装置は、複数の可能な選択結果のうちの１つとして、参照シンボル位置が、（例えば、所与の長さまたはサイズを有する選択された送信シンボル位置のグループのための）選択された送信シンボル位置のグループの内部に位置する場合を選択するように構成されうる。
【００３４】
あるいは、または加えて、データ通信装置は、複数の可能な選択結果のうちの１つとして、参照シンボル位置が、（例えば、所与の長さまたはサイズを有する選択されたグループの送信シンボル位置のための）選択された送信シンボル位置のグループの先頭と末尾の両方に位置する場合を選択するように構成されうる。
【００３５】
言い換えれば、装置は、同じサイズを有する送信シンボル位置のグループであっても、参照シンボル位置のために上述の位置のうちの１つ、典型的には２つ、３つまたは４つさえ選択することができる。例えば、４つすべての異なる位置（先頭のみ、末尾のみ、内部、先頭と末尾の両方）の時間的広がりを有する選択された送信シンボル位置のグループに対して、参照シンボル位置の４つのシンボル位置は、選択された送信シンボル位置のグループが、スロット内またはサブフレーム内のどこに位置するかに応じて、および／またはどのグループの送信シンボル位置が、選択された送信シンボル位置のグループに隣接するかに応じて、参照シンボル位置が選択されうる。したがって、参照シンボル位置のために選択された送信シンボル位置のグループ内の２つ、３つまたは４つの異なる（相対）位置を使用することができるように装置を構成することによって、高い柔軟性を達成し、利用可能な物理リソースを非常に効率的に使用できる。
【００３６】
好ましい実施形態では、データ通信装置は、長さが異なる送信シンボル位置のグループ間での選択を可能にするように構成されうる。また、データ通信装置は、（例えば、選択されたグループに対して）長さは同じだが、関連付けられた参照シンボル位置が異なる送信シンボル位置のグループ間の選択を可能にするように構成されうる。例えば、送信シンボル位置の第１のグループは、４つの送信シンボル位置の長さを含み得、そして先頭で参照シンボル位置を有しうる。そして、別のグループの送信シンボル位置も、４つの送信シンボル位置の長さを有することができるが、末尾または内部に（例えば、その第２のシンボル位置またはその第３のシンボル位置に）関連する参照シンボル位置を有しうる。
【００３７】
好ましい実施形態では、データ通信装置は、粒度が、サブフレームの長さよりも小さい、またはスロットの長さよりもさらに小さい信シンボル位置のグループを選択するように構成されうる。
【００３８】
さらに別の好ましい実施形態では、データ通信装置は、１つの送信シンボル位置の粒度または２つの送信シンボル位置の粒度を有する送信シンボル位置のグループを選択するように構成される。したがって、送信シンボル位置のグループを非常に正確な方法で整列させることが可能であり、それによって現在の要件、例えば、待ち時間を最小限に抑えるという要件への良好な適応を可能にする。
【００３９】
好ましい実施形態では、データ通信装置は、サブフレーム内で、複数の異なる送信シンボル位置のグループが選択できる粒度の送信シンボル位置のグループを選択するように構成される。これはまた、低レイテンシ要件に対する良好な調整を可能にする。
【００４０】
本実施形態では、サブフレームは、送信方向が自由に選択可能である送信シンボル位置の２次元グリッド内の最短時間単位である。したがって、このような短いサブフレーム内でも、無線リソースを複数のデータ通信装置に割り当てることができる。送信方向を変更するための粒度よりも小さくなるように送信シンボル位置のグループの選択のための粒度を選択することは、物理チャネルリソースが高効率で使用されているという利点をもたらす。なぜなら、通信の方向を切り替えることは、通常、同じ方向を送信する異なるデータ通信装置間で物理リソースをハンドオーバすることよりも大きな時間オーバーヘッドを必要とするからである。したがって、多数の物理リソースを無駄にすることなく、短いデータパケットを送信するための細かい粒度が得られる。
【００４１】
好ましい実施形態では、データ通信装置は、（時間的に短い送信シンボル位置のグループは、比較的長い送信シンボル位置のグループと比較したとき、異なる場所にそれらの参照シンボル位置を有するように）選択された送信シンボル位置の時間的長さに応じて、および／または（例えば、異なる選択された送信シンボル位置のグループが同じ時間的広がりまたは同じサイズを有していても、異なる選択された送信シンボル位置のグループは異なる位置にそれらの関連する参照シンボル位置を有するように）選択された送信シンボル位置の時間的位置に応じて、および／または（例えば、第１の周波数位置にある選択されたグループの送信シンボル位置は、異なる周波数位置にある別の同じ長さの選択された送信シンボル位置のグループと比較したとき、異なる位置にその関連参照シンボル位置を有するように）フレーム内の選択された送信シンボル位置のグループの周波数位置に応じて、選択された送信シンボル位置のグループを参照して、送信シンボル位置のグリッドにおける１つまたは複数の参照シンボル位置の相対位置を変えるように構成される。したがって、（選択された送信シンボル位置のグループに対して）関連する参照シンボル位置が（例えば、同じ長さの選択された送信シンボル位置のグループに対してでも）あるべき場所を決定するために１つまたは複数の異なる基準が使用されうる。
【００４２】
好ましい実施形態では、データ通信装置は、選択された送信シンボル位置のグループの時間的開始点のシンボル位置、または選択された送信シンボル位置のグループの時間的終了点のシンボル位置を、参照シンボル位置として選択するように構成されうる。例えば、選択された送信シンボル位置の時間的開始点のシンボル、または選択された送信シンボル位置のグループの時間的終了点のシンボル位置が、参照シンボル位置として使用されるかどうかの選択は、（同じ長さを有する選択された送信シンボル位置のグループでさえ、例えばそれぞれの選択された送信シンボル位置のグループに対して異なる位置に関連する参照シンボル位置を有するように）フレームまたはサブフレーム内のどこで、選択された送信シンボル位置のグループ配置されるかに依存する。
【００４３】
好ましい実施形態では、データ通信装置は、参照シンボル位置として、選択された送信シンボル位置のグループが、別のデータ通信装置に関連付けられた送信シンボル位置の別のグループに隣接または重なり合う同じサブフレーム内のシンボル位置を選択するように構成されうる。言い換えれば、選択された送信シンボル位置のグループ内にある（１つまたは複数の）参照シンボル位置が配置されるべきであるという決定は、参照シンボル位置が選択された送信シンボル位置のグループが、他の送信シンボル位置グループは、選択された送信シンボル位置のグループとして同じサブフレーム内にある（他のデータ通信装置に関連する）送信シンボル位置グループに隣接する場所にあるように行われる。したがって、選択された送信シンボル位置のグループに関連する参照シンボル位置は、同じサブフレーム内の別の送信シンボル位置のグループのと共有されうる。例えば、選択された送信シンボル位置グループがサブフレームの先頭に位置する場合、参照シンボル位置は選択された送信シンボル位置のグループの末尾に選択される。対照的に、同じ長さの選択された送信シンボル位置のグループがサブフレームの末尾に配置されている場合、参照シンボル位置は選択された送信シンボル位置のグループの先頭に選択される。一般的に言えば、参照シンボル位置は、それらがサブフレームの先頭またはサブフレームの末尾に配置されるのではなく、それぞれの選択された送信シンボル位置のグループのサブフレームの（サブフレームの内側に位置する）「内部」の端に配置されるようにデータ通信装置によって選択される。これは、同じ長さの送信シンボル位置の異なる選択されたグループにも当てはまる。したがって、異なるデータ通信装置による参照シンボル位置の共有がサポートされる。
【００４４】
好ましい実施形態では、データ通信装置は、サブフレーム内の選択された送信シンボル位置のグループの位置に応じて、選択された送信シンボル位置のグループに関連するいくつかの参照シンボル位置を選択するように構成される。したがって、同じ長さの送信シンボル位置のグループについて、関連する参照シンボル位置の数は、送信シンボル位置のそれぞれのグループがサブフレーム内のどこに配置されるかに応じて変わりうる。これは、リソース効率と通信品質との間の良好なトレードオフを見つけるために参照シンボル位置の数を適合させることを可能にする。
【００４５】
好ましい実施形態では、データ通信装置は、サブフレーム内の隣接する送信シンボル位置のグループの数に応じて、選択された送信シンボル位置のグループに関連するいくつかの参照シンボル位置を選択するように構成される。例えば、より多くの参照シンボル位置は、より少ない隣接を有する他の送信シンボル位置のグループよりも、より多くの隣接を有する送信シンボル位置のグループと関連付けられてもよい。
【００４６】
本実施形態では、データ通信装置は、選択された送信シンボル位置のグループに関連するいくつかの参照シンボル位置を選択するように構成されうる。この場合、１つの参照シンボル位置のみが、サブフレームの時間的境界に隣接する、選択可能な送信シンボル位置のグループに関連付けられ、そして、２つ以上の参照シンボル位置が、サブフレームの両方の時間的境界から離れている少なくとも１つの選択可能な送信シンボル位置のグループに関連付けられる。したがって、そのような参照シンボル位置は、通常、サブフレームの内側に配置された参照シンボル位置よりもチャネル推定にあまり寄与しないので、参照シンボル位置がサブフレームの境界の隣に配置されることが回避され、他のデータ通信装置と共有して再利用することはできない。
【００４７】
好ましい実施形態では、データ通信装置は、選択された送信シンボル位置のグループの時間的広がりが、サブフレームの時間的広がりよりも短くなるように、送信シンボル位置のグループを選択するように構成される。
【００４８】
本発明による別の実施形態は、送信シンボル位置の２次元グリッドを含むフレーム内で１つまたは複数のデータブロックを送信するためのデータ通信装置を作成する。データ通信装置は、データ部分の送信のために、送信シンボル位置の２次元グリッドのサブセットである送信シンボル位置のグループを選択するように構成される。データ通信装置は、送信シンボル位置のグループの選択に応じて、選択された送信シンボル位置のグループに関連する１つまたは複数の参照シンボルの多重化特性を選択するように構成される。多重化特性は、例えば、異なるデータ通信装置によって同時に送信される参照シンボルが、例えば、両方の送信を受信する「中央」データ通信装置によって分離されることができるように、複数の直交、またはほぼ直交の周波数多重化パターンまたはコード多重化パターンのうちの１つを記述しうる。しかしながら、データ通信装置は、例えば、選択された送信シンボル位置のグループに基づいて、参照シンボル位置の共有があるかどうかを認識することができる。また、データ通信装置は、例えば、自ら送信する前に時間的に送信している他のデータ通信装置があるか否かを認識してもよい。この場合、特定の多重化特性を選択することができる。一方、データ通信装置は、自身が後でデータを送信する他のデータ通信装置と参照シンボル位置を共有していると認識した場合、他の多重化特性を利用してもよい。一例として、データ通信装置は、選択された送信シンボル位置のグループが、サブフレームの先頭に近い場合と選択された送信シンボル位置グループがサブフレームの先頭からさらに離れている場合と比較して、第１の多重化特性を選択する。結果として、どの多重化特性が参照シンボルに使用されるべきであるかについての専用のシグナリングを有することは不要でありうる。
【００４９】
本発明による別の実施形態は、送信シンボル位置の２次元グリッドを含むフレーム内で１つまたは複数のデータブロックを送信するためのデータ通信装置を作成する。データ通信装置は、データ部分の送信のために、送信シンボル位置の２次元グリッドのサブセットである送信シンボル位置のグループを選択するように構成される。データ通信装置は、多重化特性のグループを定義する多重化グループ選択情報に応じて、および、多重化グループ選択情報によって定義される多重化特性のグループに含まれる複数の多重化特性のうちのどの多重化特性を使用すべきかを定義する（個別）多重化特性選択情報に応じて、選択された送信シンボル位置のグループに関連する１つまたは複数の参照シンボルの多重化特性を選択するように構成される。言い換えれば、データ通信装置は多重化特性の２段階選択を使用することができる。したがって、多重グループ選択情報によって、複数の異なる多重特性のグループを決定することができる。後で、実際に使用される多重化特性を得るために、以前に選択された多重化特性のグループから実際の多重化特性を選択することができる。したがって、多重化特性のグループの選択が通常必要とされることはめったにないので、多重化特性をシグナリングするために必要とされる（ビット単位とする）情報量は、減少する（多重化特性の完全なシグナリングと比較した場合、毎回、多重化特性を変更する必要がある。）。すなわち、例えば、時間的に隣接するデータ通信装置に異なるグループの多重化特性を関連付けることにより、データ通信装置の相互歪みを低減することができる。
【００５０】
好ましい実施形態では、データ通信装置は、データ通信装置が登録されている通信セルのセル識別子から多重化グループ選択情報を導出するように構成される。したがって、多重化グループ選択情報の送信に対するオーバーヘッドが回避される。むしろ、データ通信装置は、それ自体で、通信セルのセル識別子から多重化グループ選択情報を導出することができる。
【００５１】
好ましい実施形態では、様々な多重化特性のグループに含まれる多重化特性は、直交多重化コードまたは直交多重化パターン（または少なくともほぼ直交多重化コードまたは多重化パターン、または少なくとも中央データ通信装置の側方で区別可能な多重化パターンまたは多重化コード）を定義する。このような概念を用いることにより、異なるグループの多重化特性を使用する他の通信装置間の相互歪みを最小にすることができる。
【００５２】
好ましい実施形態では、データ通信装置は、多重化特性選択情報を、多重化グループ選択情報よりも頻繁に更新または受信するように構成される。したがって、データのオーバーヘッドを最小限に抑えることができる。さらに、多重化グループの選択は、例えば、データ通信装置が新しい通信セルにハンドオーバされるときに、めったに変更を必要としない。
【００５３】
本発明による実施形態は、送信シンボル位置の２次元グリッドを含むフレーム内で１つまたは複数のデータブロックを送信するためのデータ通信装置を作成する。データ通信装置は、データ部分の送信のために、送信シンボル位置の２次元グリッドのサブセットである送信シンボル位置のグループを選択するように構成される。データ通信装置は、選択された送信シンボル位置のグループに関連する複数の参照シンボルの多重化特性を選択するように構成される。データ通信装置は、この送信シンボル位置を記述する第１の多重パターンと参照シンボルが送信される送信シンボル位置を表す第２の多重パターンとから多重特性を選択するように構成される。第１の多重化パターンは、第２の多重化パターンも使用する少なくとも１つの共有送信シンボル位置と、第２の多重化パターンは使用しない少なくとも１つの排他的送信シンボル位置とを含む。第２の多重化パターンは、共有送信シンボル位置と、第１の多重化パターンは使用しない少なくとも１つの排他的送信シンボル位置とを含む。したがって、第１および第２の多重化パターンに共有送信シンボル位置と排他的送信シンボル位置とを対応付けることで効率を向上させることができる。例えば、補間または外挿にとって特に重要な送信シンボル位置を共有することができる。その一方で、排他的送信シンボル位置もあり、これは、多重化特性を使用して送信される参照シンボルによるチャネル推定の精度を高めるのに役立つ。
【００５４】
好ましい実施形態では、第１の多重化パターンは、使用される排他的送信シンボル位置とその間の１つまたは複数の未使用送信シンボル位置との交互のシーケンスを含む。さらに、第２の多重化パターンは、使用される排他的送信シンボル位置（第２の多重化パターンによって使用されるが第１の多重化パターンによって使用されない）の交互シーケンスも含む。ただし、その間の最初の多重化パターンで使用される場合がある。さらに、第１の多重化パターンと第２の多重化パターンとの間で、最高周波数の送信シンボル位置および／または最低周波数の送信シンボル位置が共有される。最高周波数または最低周波数におけるチャネル特性を推定することは困難であるため、最高周波数の送信シンボル位置および／または最低周波数の送信シンボル位置の共有は有用であることが分かっている。
【００５５】
本発明による一実施形態は、他のデータ通信装置から複数のデータブロックを受信するためのデータ通信装置を作成し、データブロックは、送信シンボル位置の２次元グリッドを含むフレーム内の送信シンボル位置の複数のグループの送信シンボルによって表される。データ通信装置は、どの送信シンボル位置のグループが他のデータ通信装置のうちのどれによって使用されるべきかを他のデータ通信装置にシグナリングするように構成される。例えば、個別のリソース割り当て情報が異なるデータ通信装置に提供されてもよい。あるいは、全リソース割り当て方式は、全リソース割り当て方式によって定義されたリソースのデータ通信装置のどれがどのデータ通信装置に割り当てられているかを個々のデータ通信装置にのみ通知するすべてのデータ通信装置にシグナリングすることができる。代替例として、データ通信装置は、他のデータ通信装置のそれぞれに、個々のデータ通信装置に割り当てられたリソースを記述する非常に詳細な情報を提供することができる。したがって、データ通信装置は、他のデータ通信装置のうちのに所与の１つが使用する送信シンボル位置のグループを記述する情報と、他のデータ通信装置のうちの所与の１つが使用する送信シンボル位置のグループに対する参照シンボル位置の所望の相対位置を記述する情報とを提供するように構成される。言い換えれば、データ通信装置は、参照シンボル位置の選択されたグループ内のどこに参照シンボル位置を配置すべきかを詳細に定義することができる。この情報は、例えば、「選択された送信シンボル位置のグループの先頭に」、「選択された送信シンボル位置のグループの末尾に」、「選択された送信シンボル位置のグループの内部に」または「選択された送信シンボル位置グループの先頭と末尾の両方」を選択可能に記述しうる。本発明によるこの実施形態は、複数のデータブロックを送信するためのデータ通信装置に関して上述したのと同じ考察に基づいている。さらに、他のデータ通信装置から複数のデータブロックを受信するためのこのデータ通信装置は、複数のデータブロックを送信するための対応するデータ通信装置について上述した特徴に対応する特徴によって補足されてもよい。例えば、選択された送信シンボル位置のグループに対する参照シンボル位置の所望の相対位置を記述する情報は、１ビット情報または２ビット情報でありうる。
【００５６】
また、ある他のデータ通信装置が使用する送信シンボル位置のグループに対する参照シンボル位置の所望の相対位置を表す情報は、比較的短いグループの送信シンボル位置に対して１ビットの情報でありえ、送信シンボル位置であり、比較的「より長い」送信シンボル位置のグループについての２ビット情報でありうる。
【００５７】
本発明による別の実施形態は、他の通信装置から複数のデータブロックを受信するためのデータ通信装置を作成し、データブロックは、送信シンボル位置の２次元グリッドを含むフレーム内の送信シンボル位置のグループの送信シンボルによって表される。データ通信装置は、他のデータ通信装置に通信リソース情報を提供するように構成される。通信リソース情報は、送信シンボル位置の割り当てを表し、どの送信シンボル位置のグループを他のデータ通信装置で使用するか、送信シンボル位置のうちのどれが、他のデータ通信装置のうちのどれによって参照シンボルの送信のために使用されるかを記述する。データ通信装置は、（例えば、本明細書で論じるデータ通信装置に他のいくつのデータ通信装置が接続されているかに応じて、および／またはここで論じるデータ通信装置に接続されている１つまたは複数のデータ通信装置の待ち時間要件に応じて）現在の通信状態に応じて、送信シンボル位置の異なる割り当てをシグナリングするように構成される。参照シンボルの送信のために使用される送信シンボル位置は、送信シンボル位置の異なる割り当ての間で（または送信シンボル位置の単一割り当ての範囲内でさえ）、フレームのタイムスロットの境界に対して、および／またはフレームのサブフレームの境界に対して可変である。代替的または追加的に、参照シンボルの送信に使用される送信シンボル位置は、送信シンボル位置の異なる割り当ての間で（または単一送信シンボル位置の割り当て内でさえ）、対応する送信シンボル位置のグループに対して可変でありうる。例えば、送信シンボル位置の再割り当てがあるとき、参照シンボルの位置は、タイムスロットの境界に関しても、サブフレームの境界に関しても、変わりうる。また、（例えば、現在の通信状態の変化により）送信シンボル位置が再割り当てされると、（例えば、参照シンボルが関連付けられている送信シンボル位置のグループの１つまたは複数の境界に関して、）対応する送信シンボル位置のグループに対するシンボルに対する参照シンボルの位置は、変化してもよい。したがって、参照シンボル位置の位置は、タイムスロットの境界および／またはサブフレームの境界に関して固定されていない。また、データ通信装置に関連する送信シンボル位置のグループ（例えば、隣接するグループ）の時間的長さまたはサイズが変化しなくても、（所与のデータ通信装置に割り当てられている）送信シンボル位置のグループ内の位置も変わりうる。しかしながら、単一の時点であっても、参照シンボル位置の相対位置は、異なるデータ通信装置に割り当てられた送信シンボル位置のグループ間で異なりうる。
【００５８】
すなわち、複数のデータブロックを受信するデータ通信装置は、上述した複数のデータブロックを送信するデータ通信装置と同様の考え方に基づいている。したがって、複数のデータブロックを送信するためのデータ通信装置に関して本明細書で提供される考察のいずれも、複数のデータブロックを受信するためのデータ通信装置にも当てはまる。しかしながら、複数のデータブロックを受信するためのデータ通信装置は、複数のデータブロックを送信するための複数のデータ通信装置の動作を調整する基地局または中央局であってもよく、他のデータ通信装置に信号を送ってもよい。例えば、複数のデータブロックを送信するデータ通信装置には、送信シンボル位置の位置が割り当てられる。対照的に、複数のデータブロックを送信するためのデータ通信装置は、例えば、ユーザ機器であり得、調整している「複数のデータブロックを受信するためのデータ通信装置」からシグナリングされるようにリソースを割り当てうる。
【００５９】
ただし、「複数のデータブロックを受信するためのデータ通信装置」は、複数のデータブロックを送信する機能を有していてもよい。同様に、「複数のデータブロックを送信するためのデータ通信装置」も受信機能を有することができるが、これは、ここで論じられているデータ通信シナリオにおいて、非常に重要である。
【００６０】
本明細書で論じられるデータ通信装置は、いくつかの異なる通信状態の間で切り替えることができる（そして、例えば、異なる通信状態を示す情報を他のデータ通信デバイスに提供することができる）。異なる通信状態は、異なる参照シンボル位置を示す異なる通信リソース情報を１つまたは複数の他のデータ通信装置にシグナリングすることができる。したがって、本明細書で論じられるデータ通信装置は、１つまたは複数の他のデータ通信装置に、参照シンボルの送信のために異なる参照シンボル位置を使用するように指示することができる。例えば、同じ長さの送信シンボル位置のグループに対しても、異なる参照シンボル位置を指示してもよい。このように、本明細書に記載のデータ通信装置は、他のデータ通信装置を柔軟に構成する機能を有する。特に、本明細書で論じるデータ通信装置は、通常、通信セル内の複数の他のデータ通信装置の存在について優れた知識を有し、したがって、データ通信装置は、その優れた知識に基づいて、異なる他のデータ通信装置に異なる参照シンボル位置（場合によっては共有参照シンボル位置さえも）を使用するように指示することができる。参照シンボル位置は、個々の他のデータ通信装置によって使用されるべき送信シンボル位置のグループの長さ（またはサイズ）によって固定されるのではなく、むしろここで説明されるデータ通信装置によって柔軟に割り当てることができる。他のデータ通信装置のうちの１つによって使用される送信シンボル位置のグループの所与の長さまたはサイズについても、参照シンボル位置は、ここで論じられるデータ通信装置によって変更することができる。
【００６１】
好ましい実施形態では、データ通信装置は、異なる長さを有する送信シンボル位置のグループの割り当てが可能なように構成される。さらに、データ通信装置は、単一の通信状態の間および／または異なる通信状態の間、同じ長さを有するが、関連する参照シンボル位置が異なる、送信シンボル位置のグループの割り当てが可能なように構成される。例えば、本明細書で説明されるデータ通信装置は、ある時間的広がりを有する第１の送信シンボル位置のグループが末尾に参照シンボル位置を有するべきであることをシグナリングしうる。同じ長さを有する他のグループの送信シンボル位置は、先頭に参照シンボル位置を有することができる。
【００６２】
その結果、参照シンボル位置は変化することがあり、送信シンボル位置のそれぞれのグループの時間的広がりまたはサイズによって固定的に拘束されない。
【００６３】
また、複数のデータブロックを受信するためのデータ通信装置は、上述の複数のデータブロックを送信するためのデータ通信装置に対応するので、上記の説明および明確化もまた適用可能である。
【００６４】
別の好ましい実施形態は、他のデータ通信装置から複数のデータブロックを受信するためのデータ通信装置を作成し、データブロックは、送信シンボル位置の２次元グリッドを含むフレーム内の送信シンボル位置のグループの送信シンボルによって表される。データ通信装置は、他のデータ通信装置に通信リソース情報を提供するように構成される。通信リソース情報は、送信シンボル送信の割り当てを表し、どの送信シンボル位置のグループが他のデータ通信装置のうちのどれによって使用されるか、送信シンボル位置のどれが、他のデータ通信装置のどれによって参照シンボルの送信のために使用されるかを記述する。通信リソース情報は、他のデータ通信装置ごとにリソース割り当ての詳細を個別に表すことができる。しかしながら、（複数の全体的なソース割り当て方式のうちの）「全体的な」リソース割り当て方式が他のすべてのデータ通信装置に共通にシグナリングされることも可能であり、（全体的なリソース割り当て方式によって定義された）送信シンボル位置のグループのどれが他のデータ通信装置のどれに割り当てられるかについての短い情報だけがある。データ通信装置は、少なくとも２つの他のデータ通信装置に通信リソース情報を提供し、少なくとも２つの他のデータ通信装置間で、参照シンボルの送信のための送信シンボル位置の共有を行わせるように構成される。言い換えれば、データ通信装置は少なくとも２つの他のデータ通信装置に構成情報（通信リソース情報）を提供し、データ通信装置は少なくとも２つの他のデータ通信装置が、参照シンボルの送信のための送信シンボル位置を共有するように通信リソース情報を選択または調整する。さらに別の言い方をすると、データ通信装置は、両方とも共有送信シンボル位置内に参照シンボルを送信するように、（通信リソース情報を使用して）他の２つのデータ通信装置を構成する。少なくとも２つの他のデータ通信装置が、共有送信シンボル位置（または複数の共有送信シンボル位置）での参照シンボルの送信に異なる符号またはパターンなどを使用する場合、しかしながら、他のデータ通信装置の両方による参照シンボル送信は区別可能でありうる。したがって、データ通信装置は、少なくとも２つの他のデータ通信装置を効率的なリソース使用のために構成することができ、それによって物理リソースを節約し、「短い送信時間間隔」の使用による参照シンボルによって引き起こされるオーバーヘッド（すなわち時間的に短い）を保証する送信シンボル位置のグループはかなり小さく保たれる。
【００６５】
好ましい実施形態では、データ通信装置は、通信リソース情報を少なくとも２つの他のデータ通信装置に提供して、比較的短い送信長が関連付けられている第１のデータ通信装置に、参照シンボルの送信のための送信シンボル位置を他の１つのデータ通信装置とのみ共有させ、また、比較的長い送信長が関連付けられている第２のデータ通信装置に、参照シンボルの送信のための送信シンボル位置を２つ以上の他のデータ通信装置と共有させるように構成される。したがって、送信効率を最適化することができる。
【００６６】
好ましい実施形態では、データ通信装置は、第２の（他の）データ通信装置に、第２の（他の）データ通信装置に関連付けられた送信シンボル位置の先頭にある１つまたは複数の送信シンボル位置を第１の（他の）データ通信装置と共有させる。さらに、データ通信装置は、１つまたは複数の参照シンボルの送信のため、第２のデータ通信装置に、第２のデータ通信装置に関連付けられた送信シンボル位置のグループの末尾にある１つまたは複数の送信シンボル位置を第３のデータ通信装置と共有して送信するように構成される。したがって、効率的なリソース共有アプローチがある。
【００６７】
好ましい実施形態では、データ通信装置は、所与の他のデータ通信装置が、１つまたは複数の参照シンボルの送信のために、所与のデータ送信装置に関連する送信間隔の長さに応じて、および／またはチャネル状態に応じて、および／または信号対雑音比に応じて、１つまたは複数の他のデータ通信装置と送信シンボル位置を共有するように指示されるかどうかを決定するように構成される。したがって、リソース共有手法は、リソース共有の効率を決定する外部条件に適合される。
【００６８】
好ましい実施形態において、前記通信リソース情報は、機器固有の情報項目を使用して、他のデータ通信装置への送信シンボル位置の割り当てを定義する。あるいは、通信リソース情報は、複数の予め定義された送信シンボル位置の同時割り当ての中から、複数の他のデータ送信装置への送信シンボル位置の同時割り当ての選択を記述する同時情報項目を含む。
【００６９】
好ましい実施形態において、前記データ通信装置は、多重化特性のグループに定義される複数の多重化特性のうちのどの多重化特性が、少なくとも１つの他のデータ通信装置によって使用されるべきかを定義する多重化特性選択情報を提供するように構成される。したがって、データ通信装置は、複数のデータ通信装置によって共通の参照シンボル位置に送信される参照シンボルの制御された多重化があることを保証することができる。
【００７０】
好ましい実施形態では、データ通信装置は、ここに記載のデータ通信装置と通信中の他のデータ通信装置に、少なくとも送信シンボル位置を記述する第１の多重化パターンと送信シンボル位置を記述する第２の多重化パターンの中から、多重化特性を選択するように指示する多重化特性選択情報を提供するように構成される。ここで、第１の多重化パターンは、第２の多重化パターンも使用する少なくとも１つの共有送信シンボル位置と、第２の多重化パターンは使用しない少なくとも１つの排他的送信シンボル位置とを含み、そして、第２の多重化パターンは、共有送信シンボル位置と、第１の多重化パターンによって使用しない少なくとも１つの排他的送信シンボル位置とを含む。したがって、データ通信装置は、歪みを最小限に抑えるために、および／または参照シンボルを使用して良好なチャネル推定を可能にするために、多重化を効率的に構成することができる。
【００７１】
さらに別の好ましい実施形態では、データ通信装置は、すでに上で概説したように、第１の多重化パターンと第２の多重化パターンとの間の切り替えをシグナリングすることができる。
【００７２】
本発明による実施形態はデータ通信システムを作成する。データ通信システムは、上述のような第１のデータ通信装置（例えば、１つまたは複数のデータブロックを受信するためのデータ通信装置、または第１の基地局）を備える。データ通信システムは、本明細書に記載の第２のデータ通信装置（例えば、データブロックを受信するための別のデータ通信装置または第２の基地局）をさらに備える。データ通信システムはまた、第１のデータ通信装置にリンクされた第１の他のデータ通信装置（本明細書で説明されるように、例えば、１つまたは複数のデータブロックを送信するためのデータ通信装置、または第１のユーザ機器）を備える。データ通信システムは、第２のデータ通信装置にリンクされた第２の他のデータ通信装置（例えば、１つまたは複数のデータブロックを送信するための他のデータ通信装置、または第２のユーザ機器）をさらに備える。第１の他のデータ通信装置は、第１のデータ通信装置によって提供される多重化特性選択情報に応じて、多重化特性の第１のグループに含まれる複数の多重化特性から、第１の他のデータ通信装置に関連付けられた選択された送信シンボル位置のグループに関連付けられた１つまたは複数の参照シンボルの多重化特性を選択するように構成される。第２の他のデータ通信装置は、第２のデータ通信装置によって提供される多重化特性選択情報に応じて、多重化特性の第２のグループに含まれる複数の多重化特性から、第２の他のデータ通信装置に関連付けられた選択された送信シンボル位置のグループに関連付けられた１つまたは複数の参照シンボルの多重化特性を選択するように構成される。異なるグループの多重化特性に含まれる多重化特性は、直交またはほぼ直交の多重化コードまたは直交またはほぼ直交の多重化パターン（歪みを最小化または回避するために定義される）を定義する。これにより、第１の他のデータ通信装置と第２の他のデータ通信装置とが送信シンボル位置（例えば、第１の他のデータ通信装置に関連する選択された送信シンボル位置のグループと第２の他のデータ通信装置に関連する選択されたグループの交差する位置）を共有することができる。参照シンボルの送信ごとに、第１のグループの多重化特性の多重化特性が第１の他のデータ通信装置によって使用され、第２のグループの多重化特性の多重化特性が第２の他のデータ通信装置によって使用される。このように、異なるグループの多重化特性を使用することによって、共有された送信シンボル位置において、第１の他のデータ通信装置によって送信された参照シンボルと第２の他のデータ通信装置によって送信された参照シンボルとの間の歪みがほとんどまたは全くないことが自動的に保証されうる。さらに、異なるグループの多重化特性を使用することによって、第１の他のデータ通信装置および第２の他のデータ通信装置を制御または調整するためのシグナリング・オーバーヘッドをかなり小さく保つことができる。
【００７３】
好ましい実施形態では、第１の他のデータ通信装置は、第１のデータ通信装置のセル識別子から、第１の多重化特性グループを選択するために使用される多重化グループ選択情報を導出するように構成される。同様に、他の第２のデータ通信装置も、任意選択でそのような能力を有することができる。したがって、異なるデータ通信装置による多重化特性の異なるグループの「自動」選択があり、これはシグナリング・オーバーヘッドさえも必要としない。したがって、シグナリング・オーバーヘッドなしに、共有された送信シンボル位置での参照シンボルの送信によって引き起こされる歪みが全くないかまたはほとんどないことを確実にすることができる。
【００７４】
本発明による一実施形態は、それぞれの方法を含む。方法は、上述の装置と同じ考慮事項に基づいていることに留意されたい。さらに、本方法は、装置に関して本明細書に開示されている任意の特徴および機能によって補足することができることに留意されたい。
【００７５】
本発明によるさらなる実施形態は、前記方法のうちの１つを実行するためのコンピュータプログラムを作成する。
【００７６】
本出願による実施形態は、添付の図面を参照して続いて説明される。
【図面の簡単な説明】
【００７７】
【図１】図１は、従来のＬＴＥ上りリンクサブフレームの概略図を示す。
【図２ａ】図２ａは、ｓＴＴＩ長３／４および２ＯＦＤＭシンボルを有する上りリンクサブフレームの一例の概略図を示す。
【図２ｂ】図２ｂは、ｓＴＴＩ長３／４および２ＯＦＤＭシンボルを有する上りリンクサブフレームの一例の概略図を示す。
【図３ａ】図３ａは、ｓＴＴＩの可能なＤＭＲＳ位置の概略図を示す。
【図３ｂ】図３ｂは、ｓＴＴＩの可能なＤＭＲＳ位置の概略図を示す。
【図４】図４は、（ａ）ＤＭＲＳ多重化なしの例と、（ｂ）ＤＭＲＳ多重化ありの例の概略図を示す。
【図５】図５は、異なる帯域幅割り当てを有するユーザ機器（ＵＥ）の多重化の概略図を示す。
【図６】図６は、異なる送信長を有するユーザ機器（ＵＥ）の多重化の概略図を示す。
【図７】図７は、周波数領域および時間領域にわたるマルチユーザシナリオのためのＤＭＲＳ多重化の組み合わせの例の概略図を示す。
【図８】図８は、ＰＵＳＣＨ  ｓＴＴＩ（短い送信時間間隔）および対応するＤＭＲＳスロットをオレンジ色で示す（または異なるハッチングで示す）概略図を示す。
【図９】図９は、ＤＭＲＳの周波数多重化の概略図を示しており、共有シンボルは、より良い補間のためにエッジで使用されている。
【図１０】図１０は直交グループを導入することによるＤＭＲＳシーケンスのためのＩＣＩＣ（セル内干渉調整）を示す。
【図１１】図１１は、２つのパターンの例示的表現の概略図を示し、ここで、ＡからＤは異なるユーザが送信している。
【図１２】図１２は、ＬＴＥリソースグリッド上の周波数および時間におけるＴＴＩ長およびＤＭＲＳ位置の例示的割り当ての概略図を示す。
【図１３】追加の１ビットＤＣＩ位置フィールドを有するＤＣＩメッセージを表す表を示す図である。
【図１４】図１４は、１ビットまたは２ビットのＤＣＩ位置フィールドが追加されたＤＣＩメッセージを表す表を示す。
【図１５】図１５は、ＤＭＲＳ多重パターンのグループ分けを表す表である。
【図１６】頭字語および記号のリストを示す図である。
【図１７】本発明の一実施形態によるデータ通信装置のブロック概略図を示す。
【図１８】図１８は、本発明の他の実施形態によるデータ通信装置のブロック概略図を示す。
【図１９】図１９は、本発明の他の実施形態によるデータ通信装置のブロック概略図を示す。
【図２０】図２０は、本発明の他の実施形態によるデータ通信装置のブロック概略図を示す。
【図２１】図２１は、本発明の実施形態による、１つまたは複数のデータブロックを送信するための方法のフローチャートを示す。
【図２２】図２２は、本発明の実施形態による、１つまたは複数のデータブロックを送信する方法のフローチャートを示す。
【図２３】図２３は、本発明の実施形態による、１つまたは複数のデータブロックを送信するための方法のフローチャートを示す。
【図２４】図２４は、本発明の実施形態による、１つまたは複数のデータブロックを送信するための方法のフローチャートを示す。
【図２５】図２５は、本発明の実施形態による、１つまたは複数のデータブロックを送信するための方法のフローチャートを示す。
【図２６】図２６は、本発明の実施形態による、１つまたは複数のデータブロックを受信するための方法のフローチャートを示す。
【図２７】図２７は、本発明の実施形態による、１つまたは複数のデータブロックを受信する方法のフローチャートを示す。
【図２８】図２８は、本発明の実施形態による、１つまたは複数のデータブロックを受信するための方法のフローチャートを示す。
【発明を実施するための形態】
【００７８】
実施形態の詳細な説明
１．図１７に記載されるデータ通信装置。
【００７９】
図１７は、本発明の実施形態によるデータ通信装置１７００のブロック概略図を示す。
【００８０】
データ通信装置１７００は、１つまたは複数のデータブロック１７１０を受信し、それに基づいて送信信号または変調信号１７２０を提供する。データ通信装置は、参照番号１７３０で示されるように、送信シンボル位置の２次元グリッドを含むフレーム内で１つまたは複数のデータブロックを送信するように構成される。
【００８１】
データ通信装置１７００は、データ部分（例えば、データブロック）の送信のために（参照番号１７３０で示される）送信シンボル位置の２次元グリッドのサブセットである送信シンボル位置１７４０のグループ（その長さはいわゆる「短い送信時間間隔」ｓＴＴＩとすることができる）を選択するように構成される。データ通信装置は、例えば、選択された送信シンボル位置のグループに関して（または参照して、またはそれに関して）参照シンボル位置の所望の相対位置を記述する情報に基づいて、複数の可能性の中から、（例えば、選択された送信シンボル位置のグループ１７４０内にある）送信シンボル位置の選択されたグループに関連する１つまたは複数の参照シンボル位置１７５０，１７５２，１７５４を選択するように構成される。
【００８２】
一例を図１７に示す。例えば、選択された送信シンボル位置１７４０のグループが所与の数の送信シンボル位置（例えば３つの送信シンボル位置）を含む場合、例えば（少なくとも）４つの参照シンボル位置の割り当ての可能性がある。ここで、データ通信装置１７００は、これらの可能性のうちの少なくとも２つの間、あるいはこれら４つの可能性のうちの４つすべての間でさえも選択をすることができる。例えば、データ通信装置は、１つまたは複数の参照シンボル位置（例えば、（参照番号１７４０ａに示す）選択された送信シンボル位置のグループの先頭の参照シンボル位置１７５０、参照番号１７４０ｂに示すように、選択された送信シンボル位置のグループの末尾の参照シンボル位置１７５２、参照番号１７４０ｃで示されるように、選択されたグループの送信シンボル位置の内部（または中央）の参照シンボル位置１７５４、または参照番号１７４０ｄで示されるように、両方とも、選択されたグループの送信シンボル位置の先頭と末尾の２つの参照シンボル位置１７５６，１７５８）を選択するように構成されてもよい。言い換えれば、データ通信装置は、選択された送信シンボル位置のグループ内の１つまたは複数の参照シンボル位置を可変に選択するように構成されうる。データ通信装置は、選択された送信シンボル位置のグループに対する参照シンボル位置の相対位置を記述する情報を使用することができる。相対位置を記述するこの情報は、例えば、「先頭」、「末尾」、「内部」、「中央に」、「先頭と末尾の両方」の相対位置のうちの２つ以上を表しうる。これにより、データ通信装置１７００による参照シンボル位置の効率的な符号化および選択が可能となる。
【００８３】
さらに、データ通信装置１７００は、送信信号または変調信号１７２０を取得するために、選択された送信シンボル位置のグループを使用することに留意されたい。特に、送信されるべきデータブロックは、（例えば、送信エラーの検出および／または訂正を可能にする）チャネル符号化を提供され得、そして、結果として生じるチャネル符号化データは、選択された送信シンボル位置のグループ内の送信シンボル位置で、送信信号または変調信号に含まれる変調シンボル（例えば、複素数値のＯＦＤＭ変調シンボル）の形式で表されうる。この場合、チャネル推定のために、典型的には選択された送信シンボル位置のグループ内にある参照シンボル位置は、使用される（または使用可能な）送信されるデータブロックのデータ内容とは独立した変調シンボルで占められる。言い換えれば、送信されるデータブロックの有用なデータは、選択された送信シンボル位置のグループ内の非参照シンボル位置に配置された変調シンボルによって反映される。
【００８４】
したがって、データ通信装置１７００は、データブロックの送信のために送信シンボル位置のグループを選択する柔軟な方式を有し、したがって、また、選択された送信シンボル位置のグループの内のどのシンボル位置（またはどのシンボル位置）を１つまたは複数の参照シンボルの送信に使用すべきかを選択するための柔軟な概念を有する。選択された送信シンボル位置のグループ内の異なる（相対）位置にある参照シンボル位置を柔軟に割り当てることによって、データ通信を異なるシナリオ、例えば異なるデータ通信装置間で参照シンボル位置を共有することが望まれるシナリオ、およびデータ通信装置間で参照シンボル位置を共有しないシナリオに適応することが可能である。
【００８５】
データ通信装置１７００、および送信シンボル位置のグループの割り当てに関するさらなる詳細は、以下に説明される。
【００８６】
言い換えれば、図１７による装置１７００は、個々にまたは組み合わせのいずれかで、本明細書に記載されている特徴および機能のいずれかによって補足することができる。
【００８７】
２．図１８に記載されるデータ通信装置
図１８は、本発明の一実施形態によるデータ通信装置１８００のブロック概略図を示す。データ通信装置１８００は、データブロック１８１０を受信し、それに基づいて送信信号または変調信号１８２０を提供するように構成される。データ通信装置１８００は、参照符号１８３０で表される送信シンボル位置の２次元グリッドを含むフレーム内で１つまたは複数のデータブロックを送信するように構成される。データ通信装置は、送信シンボル位置のグループ（例えば、グループ１８４０、グループ１８４１、グループ１８４２、グループ１８４３、グループ１８４４、グループ１８４５、および／またはグループ１８４６）を選択するように構成される。そして、それは、（例えば、データブロックの）データ部分の送信のための、送信シンボル位置の２次元グリッドのサブセットである。選択された送信シンボル位置のグループは、「短い送信時間間隔」として指定される長さを有しうる。
【００８８】
データ通信装置は、送信シンボル位置のグループの選択と共に、送信シンボル位置のグループの選択に基づいて、（例えば、グループ１８４０−１８４６のうちの１つまたは複数のうちの）１つまたは複数のシンボル位置が１つまたは複数の参照シンボル位置として使用されるかを決定するように構成される。参照シンボル位置は、フレームのタイムスロットの１つまたは複数の境界に対して、またはフレームのサブフレームの１つまたは複数の境界に対して可変である。代替的または追加的に、１つまたは複数の参照シンボル位置は、（参照シンボル位置が関連付けられている）選択された送信シンボル位置のグループに関して可変でありうる。
【００８９】
言い換えれば、データ通信装置は、送信シンボル位置のグループ１８４０から１８４６を選択する際に非常に柔軟でありえ、データ通信装置１８００は、また、参照シンボル位置を選択する際に非常に柔軟である。
【００９０】
ここで図１８の例を参照すると、選択された送信シンボル位置のグループ１８４０，１８４１は、（いくつかの送信シンボル位置に関して）同じ長さを含むが、それぞれに関して時間的にシフトしていることが分かる。選択されたグループ１８４０，１８４１が異なる周波数または周波数ビンまたは（サブ）搬送周波数に関連付けられている必要はないことに留意されたい。むしろ、選択されたグループ１８４０，１８４１は両方とも同じ周波数または周波数ビンまたは周波数搬送波に配置されてもよく、構成情報に応じて代わりに使用されてもよい。以上のように、グループ１８４０内の参照シンボル位置１８４０ａは、サブフレーム１８５０の（左側）時間境界から２つのシンボル位置の距離を有する。対照的に、参照シンボル位置１８４１ａは、サブフレーム１８５０の前記左側境界から３つの参照シンボル位置の距離を有する。したがって、データ通信装置１８００は、送信シンボル位置のグループ（例えば、グループ１８４０，１８４１）を（同時にまたは連続的に）選択するように構成されていることが分かる。ここで、これらの選択されたグループ１８４０，１８４１に関連する参照シンボル位置１８４０ａ，１８４１ａは、選択されたグループ１８４０，１８４１が配置されているそれぞれのサブフレームの最も近い境界に対して異なる相対位置を有する。
【００９１】
同様に、参照シンボル位置１８４２ａおよび参照シンボル位置１８４３ａは、グループ１８４２，１８４３が配置されているスロット１８６０の時間境界に関して異なる距離（または相対位置）を有することが分かる。スロット１８６０の時間境界に対する参照シンボル位置１８４２ａの（相対）位置は、境界から１つの参照シンボル位置だけ離れていると定義することができる。対照的に、スロット１８６０の時間境界に対する参照シンボル位置１８４３ａの（相対）位置は、その間に異なる数のシンボル位置（例えば、２つのシンボル位置）を有するものとして定義することができる。したがって、データ通信装置１８００は、参照シンボル位置がフレームのタイムスロットの境界に対して、またはフレームのサブフレームの境界に対して可変であるように参照シンボル位置を選択するように適合されることは明らかである。
【００９２】
ここでグループ１８４４、１８４５および１８４６を参照すると、関連する参照シンボル位置１８４４ａ、１８４５ａおよび１８４６ａはそれぞれのグループ１８４４，１８４５，１８４６に対して変化することが分かる。以上のように、参照シンボル位置１８４４ａは対応するグループ１８４４の先頭にあり、参照シンボル位置１８４５ａは、対応するグループ１８４５の内部にあり、そして参照シンボル位置１８４６ａは対応するグループ１８４６の末尾にある。したがって、参照シンボル位置は、対応する選択された送信シンボル位置のグループに関して（および、参照シンボル位置が関連付けられる選択された送信シンボル位置のグループに対して）可変であると言える。
【００９３】
結論として、データ通信装置１８００は、（データブロックの送信に関連する）送信シンボル位置のグループと、これらの選択された送信シンボル位置のグループ内の参照シンボル位置との両方を非常に柔軟に選択することができる。特に、参照シンボル位置はサブフレーム内またはスロット内の固定グリッドに拘束されない。むしろ、参照シンボル位置は、同じ長さまたはサイズを有する送信シンボル位置のグループに対しても変わりうる。参照シンボル位置の変動は、シンボル位置（すなわち、選択された送信シンボル位置のグループ自体に対する）それぞれのフレームのタイムスロットの（隣接）境界に関して、またはそれぞれのフレームのサブフレームの（隣接）境界に関して、または対応する送信グループの境界に関しての両方でありうる。
【００９４】
さらに、選択された送信シンボル位置のグループおよび選択された参照シンボル位置は、装置１７００に関して上述したのと同じ方法で送信信号／変調信号１８２０を生成するために使用されうることに留意されたい。
【００９５】
さらに、データ通信装置１８００は、個々にまたは組み合わせのいずれかで、本明細書で説明されている任意の特徴および機能によって補完することができることに留意されたい。
【００９６】
３．図１９に記載されるデータ通信装置
図１９は、本発明の一実施形態によるデータ通信装置１９００のブロック概略図を示す。
【００９７】
データ通信装置１９００は、本明細書に記載のデータ通信装置１７００，１８００と同様である。したがって、データ通信装置は、データ通信装置１７００および１８００に関して説明された特徴および機能のいずれによっても補足されうることに留意されたい。
【００９８】
データ通信装置１９００は、データブロック１９１０を受信し、それに基づいて送信信号または変調信号１９２０を提供するように構成される。
【００９９】
データ通信装置１９００は、送信シンボル位置の２次元グリッドを含むフレーム内で１つまたは複数のデータブロックを送信するように構成される。データ通信装置は、データ部分の送信のために、送信シンボル位置の２次元グリッドのサブセットである送信シンボル位置のグループを選択するように構成される。
【０１００】
しかしながら、データ通信装置は、選択された送信シンボル位置のグループ内に、１つまたは複数の参照シンボル位置を割り当てるように構成される。例えば、選択された送信シンボル位置のグループは１９４０で示され、関連する参照シンボル位置は１９４０ａで示される。送信シンボル位置の他の可能なグループは１９４２で示され、関連する参照シンボル位置は１９４２ａで示される。
【０１０１】
参照シンボル位置を他のデータ通信装置と共有することを可能にするために、データ通信装置１９００は、参照シンボル位置で送信される１つまたは複数の参照シンボルに多重化方式を適用するように構成される。
【０１０２】
データ通信装置１９００は、以下で論じる多重化特性の選択のための１つまたは複数のメカニズムを備える。
【０１０３】
一態様によれば、データ通信装置は、送信シンボル位置のグループの選択に応じて、選択された送信シンボル位置のグループに関連付けられた１つまたは複数の参照シンボルの多重化特性を選択するように構成される。例えば、データ通信装置１９００は、送信シンボル位置のグループ１９４０に関連付けられている、参照シンボル位置１９４０ａで送信された１つまたは複数の参照シンボルについて第１の多重化特性を選択することができる。一方、データ通信装置１９００は、グループ１９４２に関連付けられた参照シンボル位置１９４２ａで送信された１つまたは複数の参照シンボルに対して異なる多重化特性を選択することができる。参照シンボル位置１９４０ａおよび１９４２ａが２次元時間周波数グリッド内の同じ位置にあったとしても、データ通信装置がグループ１９４０またはグループ１９４２を選択したかどうかに応じて、データ通信装置１９００によって異なる多重化特性が選択されうる。言い換えれば、データ通信装置１９００は、例えば、選択された参照シンボル位置のグループの先頭に位置する参照シンボルと比較した場合、選択された送信シンボル位置のグループの末尾に位置する参照シンボルに対して、異なる多重化特性を使用することができる。このようなメカニズム（複数のデータ通信装置において同様に実施することができる）を使用することによって、異なるデータ通信装置によって同じ参照シンボル位置で送信される参照シンボル間に大きな歪みがないことを保証することができる。特に、そのような概念を使用することによって、大きなシグナリング・オーバーヘッドを回避することができる。
【０１０４】
別の態様によれば、データ通信装置は、多重化特性グループを定義する多重化特性グループ選択情報に応じて、および多重化グループ選択情報によって定義された多重化特性のグループに含まれる複数の多重化特性のうちのどの多重化特性を使用すべきかを定義する（個々の）多重化特性選択情報に応じて、選択された送信シンボル位置のグループに関連付けられる１つまたは複数の参照シンボルの多重化特性を選択するように構成されうる。参照番号１９６０に示すように、データ通信装置１９００は、例えば、多重化特性の表を有することができる。ここで、このテーブルは少なくとも２つのグループの多重化特性を含む。したがって、多重化特性グループ選択情報を使用して、データ通信装置１９００で使用するための多重化特性のグループを選択することができる。一方、多重化特性選択情報１９６４を使用して、（多重化特性グループ選択情報１９６２によって定義されるように）選択された多重化特性のグループのうちのどの特性を使用するかを選択することができる。したがって、多重化特性の２段階選択がありうる。多重化特性グループ選択情報１９６２は、例えば、多重化特性選択情報１９６４と比較したときに異なる方法で導出することができる。例えば、多重化特性グループ選択情報１９６４は、例えば１つの通信セルから別の通信セルにハンドオーバするときに「まれに」だけ導出される（または変更される）ことができる。また、多重化特性グループ選択情報１９６２を表す情報は、例えば、比較的長い時間間隔でのみ制御情報に含まれるようにしてもよい。一方、多重化特性選択情報１９６４を表す情報は、多重化特性グループ選択情報１９６２よりも頻繁に決定（または変更、更新）されてもよい。例えば、多重化特性選択情報１９６４を表す情報は、多重化特性グループ選択情報１９６２を定義する情報よりも頻繁に制御情報に含まれてもよい。
【０１０５】
さらに、第１の多重化特性グループ内の多重化特性および第２の多重化特性グループ内の多重化特性は、第１の多重化特性グループ内の多重化特性が第２の多重化特性グループに含まれる多重化特性のいずれとも実質的に干渉しないように選択されうる。したがって、データ通信装置が多重化特性グループの多重化特性のいずれかを使用して参照シンボルを送信すると同時に、別のデータ通信装置が第２の多重化特性グループによって定義された多重化特性のいずれかを使用して参照シンボルを送信する場合、これらの送信の間の干渉は、ほとんどまたはまったくない。したがって、２つのデータ通信装置が異なる多重化特性グループの多重化特性を使用することが保証される場合、どのデータ通信装置がどの時点でどの多重化特性グループの多重化特性を使用するかを厳密に調整する必要はない。したがって、多重化特性グループの定義、およびデータ通信装置側でのそのような多重化特性グループの使用は、参照シンボル位置を共有する異なるデータ通信装置間の干渉を回避するのに役立つ。
【０１０６】
さらに、多重化特性は、例えば、符号分割方式、周波数分割方式、および／または空間分割方式でありえ、これは、（同じ参照シンボル位置または参照シンボル位置のグループで送信されたとしても）異なる多重化特性を使用して送信される参照シンボルがほとんどまたは全く干渉を示さないという効果を有する。
【０１０７】
さらに別の態様によれば、データ通信装置は、送信シンボル位置を記述する第１の多重化パターンおよび送信シンボル位置を記述する第２の多重化パターンの中から多重化特性を選択するように構成される。第１の多重化パターンは、第２の多重化パターンも使用する少なくとも１つの共有送信シンボル位置と、第２の多重化パターンは使用しない少なくとも１つの排他的送信シンボル位置とを含む。同様に、第２の多重化パターンは、共有送信シンボル位置と、第１の多重化パターンは使用しない少なくとも１つの排他的送信シンボル位置とを含む。第１の多重化パターン（第１の多重化特性として理解することができる）および第２の多重化パターン（第２の多重化特性として理解することができる）の例は、参照番号１９８０および１９９０に示されている。例えば、第１の多重化パターンおよび第２の多重化パターン１９８０，１９９０は、第１の送信シンボル位置に共有送信シンボル位置１９８２，１９９２を含む。しかし、第２の送信シンボル位置１９８４は「排他的」送信シンボル位置であり、第１の多重化パターン１９８０が選択された場合には、第２の送信シンボル位置１９８４にのみ送信があるようになる。対照的に、第２の多重化パターン１９９０が選択された場合、（多重化パターン１９９０内の空白の長方形によって示されるように）送信シンボル位置１９８４には送信がない。同様に、第１の多重化パターン１９８６は、第３の多重化パターン位置１９８６での送信を含まず、これは第１の多重化パターン１９８０の空白の長方形によって示される。一方、送信シンボル位置１９８６は、「排他的」送信シンボル位置として第２の多重化パターン１９９０と関連付けられている。
【０１０８】
結論として、送信シンボル位置１９８２は、第１の多重化パターン１９８０と第２の多重化パターン１９９０との間で共有されるので、共有送信シンボル位置と見なすことができる。第２の送信シンボル位置１９８２は、第１の多重化パターン１９８０にのみ関連付けられ、第２の多重化パターン１９９０には関連付けられず、したがって、第１の多重化パターン１９８０に対する排他的送信シンボル位置である。第３の送信シンボル位置１９８６は、第２の多重化パターン１９９０に排他的に関連付けられているが、第１の多重化パターン１９８０には関連付けられていない。例えば、送信シンボル位置１９８２，１９８４，１９８６は、同じ時間だが異なる周波数に関連付けられてもよいことに留意されたい。さらに、そのような多重化パターンの使用は、一方では干渉を低減し、他方では（例えば、上限周波数または下限周波数でさえ）チャネル特性の良好な推定を可能にしうることに留意されたい。
【０１０９】
ここで留意すべきは、多重化特性の選択に関する異なる態様は個別に使用することができ、あるいは組み合わせることができることである。
【０１１０】
さらに、データ通信装置１９００は、個々にまたは組み合わせてのいずれかで、本明細書で説明されている任意の特徴および機能によって補足することができることに留意されたい。
【０１１１】
４．図２０に記載のデータ通信装置。
データ通信装置２０００のブロック構成図を図２０に示す。
【０１１２】
データ通信装置２０００は、例えば、（例えば、ユーザ機器のような１つまたは複数の他のデータ通信装置に対して）受信信号を受信し、それに基づいて１つまたは複数のデータブロックを提供するように構成されてもよい。受信信号は２０１０で示され、データブロックは２０２０で示される。例えば、データ通信装置２０００は、受信信号２０１０を受信し、それに基づいて１つまたは複数のデータブロック２０２０を提供するように構成されている復調および／またはデータブロック抽出２０３０を備えることができる。また、復調／データブロック抽出２０３０は、復調／データブロック抽出のための通信リソースの割り当てに関する情報も使用する。
【０１１３】
言い換えれば、データ通信装置２０００は、例えば受信信号２０１０を介して、他のデータ通信装置から複数のデータブロック２０２０を受信するように構成される。データブロックは、送信シンボル位置の２次元グリッドを含むフレーム内の送信シンボル位置の複数のグループの送信シンボルによって表される。データ通信装置は、シグナリング情報２０４０を提供するように構成され、どのグループの送信シンボル位置が他のどのデータ通信装置によって使用されるべきかを他のデータ通信装置に（例えば、ユーザ装置に）シグナリングするように構成されうる。そのようなシグナリングを実行するために、データ通信装置２０００は、例えば、通信状態情報２０５２を受信することができる通信リソース割り当て２０５０を含むことができる。通信状態情報２０５２は、例えば、（基地局または調整エンティティとして機能することができる）データ通信装置２０００にリンクされているいくつかの他のデータ通信装置（例えば、いくつかのユーザ機器）を記述することができる。通信状態情報２０５２は、他のデータ通信装置の待ち時間要件に関する情報も含むことができる。さらに、通信状態情報２０５２は、他のデータ通信装置によって送信されるデータ量に関する情報、および／または他のデータ通信装置によって要求されるデータレートに関する情報も含むことができる。
【０１１４】
通信リソース割り当て２０５０（または、一般的に言えば、データ通信装置２０００）は、他のデータ通信装置へのリソース割り当ての決定およびシグナリングのために１つまたは複数の概念を使用することができる。
【０１１５】
例えば、データ通信装置２０００は、他のデータ通信装置のうちの１つによって（例えば、所与のユーザ機器によって）使用されるべき送信シンボル位置のグループを記述する情報を提供するように構成されうる。さらに、データ通信装置２０００は、所与の他のデータ通信装置によって使用されるべき送信シンボル位置のグループに対する参照シンボル位置の所望の相対位置を記述する情報を提供するように構成することもできる。したがって、送信シンボル位置のグループのシグナリングのために他のデータ通信装置（例えば、ユーザ機器）に送信される通信リソース情報２０４０は、使用される送信シンボル位置のグループを記述する情報の両方を搬送することができ、そして、情報は、シグナリングされた送信シンボル位置グループに対する参照シンボル位置の望ましい相対位置を記述する。したがって、データ通信装置２０００は、所与の他のデータ通信装置に割り当てられた送信シンボル位置のグループと、シグナリングされた送信シンボル位置のグループ内の参照シンボル位置の割り当てとの両方を効率的にシグナリングすることができる。
【０１１６】
別の態様によれば、通信リソース情報は、送信シンボル位置の割り当てを表し、通信リソース情報は、どのグループの送信シンボル位置を他のデータ通信装置によって使用すべきであり、どの送信シンボル位置を他のどのデータ通信装置による参照シンボルの送信に使用すべきかを記述する。データ通信装置２０００は、現在の通信状態に応じて（例えば、通信状態情報２０５２に応じて）、送信シンボル位置の異なる割り当てをシグナリングするように構成されうる。参照シンボルの送信のために使用される送信シンボル位置は、フレームのタイムスロットの境界に対して、または送信シンボル位置の異なる割り当ての間のフレームのサブフレームの境界に対して、またはさらに送信シンボル位置の単一の割り当てに対して可変でありうる。代替的に又は追加的に、参照シンボルの送信に使用されるべき送信シンボル位置は、送信シンボル位置の異なる割り当ての間の送信シンボル位置の対応するグループに対して、または送信シンボル位置の単一の割り当てに対してさえも可変でありうる。言い換えれば、データ通信装置２０００は、参照シンボルの送信に使用される送信シンボル位置が、異なるリソース割り当て状態の間で、または単一の割り当て状態のリソース内の異なる参照シンボル位置のグループの間でさえも異なるようにリソースを割り当てるように構成されうる。また、（例えば、それぞれのタイムスロットの１つまたは複数の隣接境界に対して、またはそれぞれのサブフレームの１つまたは複数の隣接境界に対して、および／または選択された送信シンボル位置のグループの１つまたは複数の境界に対して）異なる参照シンボル位置は、異なりうる。また、単一の通信状態であっても、参照シンボルの送信に使用される送信シンボル位置のこれらの相対位置は、異なる送信シンボル位置のグループに関連する参照シンボル位置の間で異なりうる。例えば、単一の通信状態であっても、データ通信装置２０００は、最初に所定数の送信シンボル位置の第１グループの参照符号が関連付けられるようにリソース割り当てを行ってもよく、そして、同じ所与の数の送信シンボル位置の別のグループは、その関連する参照シンボルをそのグループの内部またはその末尾に有することができる。さらに、データ通信装置２０００は、現在の通信状態が変化した場合に、参照シンボル位置の前記（相対）位置を変更する柔軟性を有することができる。したがって、図１７、１８および１９に関して、上述したように、データ通信装置２０００は、他のデータ通信装置（例えば、データ通信装置１７００，１８００，１９００）に異なる割り当てられた参照シンボル位置の使用を指示するようにシグナリング情報２０４０を提供することができる。
【０１１７】
さらに結論すると、データ通信装置２０００は、柔軟な通信リソース情報を提供するように構成され、それは、データ通信装置１７００，１８００，１９００を上述のように柔軟に複数の異なる状態にすることを可能にする。
【０１１８】
本発明の一態様によれば、データ通信装置２０００は、少なくとも２つの他のデータ通信装置（例えば、ユーザ機器）に通信リソース情報を提供して、少なくとも２つの他のデータ通信装置の間で、参照シンボルの送信のための送信シンボル位置の共有を行わせるように構成される。言い換えれば、データ通信装置２０００は、シグナリング情報または通信リソース情報２０４０が少なくとも２つの他のデータ通信デバイス（ユーザ機器）に、（例えば同時に）共有された（同一の）送信シンボル位置内の参照シンボルの少なくとも１つの参照を送信するように指示するようにシグナリング情報または通信リソース情報２０４０を提供するように構成されうる。したがって、データ通信装置２０００は、少なくとも２つの他のデータ通信装置（例えば、ユーザ機器）による送信シンボル位置の共有を調整することができ、その結果、物理リソースの大幅な節約がもたらされる。この点に関して、データ通信装置２０００は、どの状況下で参照シンボルの送信のための送信シンボル位置の共有が意味をなすか（例えば、チャネル推定の品質を過度に劣化させることなく物理リソースの大幅な節約を提供することによって）を認識するように構成される。例えば、そのような共有がいつ使用されるべきかを決定するために、データ通信装置によって異なるアプローチが使用されてもよい。データ通信装置２０００は、取得可能なチャネル推定品質の観点から、他の第１のデータ通信装置に関連する第１のグループの送信シンボル位置の最後に参照シンボル位置を配置し、第２の他のデータ通信装置に関連する送信シンボル位置の直後の（しかし重なり合う）グループの先頭に参照シンボル位置を配置することが許容されると判断された場合、送信シンボル位置の共有を行わせる。
【０１１９】
さらに、そのような送信シンボル位置の共有をどのように行うべきかを決定するための異なる戦略も使用することができる。
【０１２０】
さらに、データ通信装置２０００は、通信リソース情報２０４０を介してデータ通信装置２０００から送信シンボル位置の共有が指示された場合には、適切な多重特性の選択を通知するように構成されてもよい。例えば、データ通信装置２０００は、通信リソース情報２０４０を用いて、参照シンボルを送信するための送信シンボル位置を共有する他の２つのデータ通信装置に対して異なる多重特性を用いるように指示してもよい。他のデータ通信装置にシグナリングされた多重化特性選択情報と比較した場合、例えば、データ通信装置２０００は、他のデータ通信装置に通知される多重化特性選択情報が異なる多重化特性を示すように通信リソース情報２０４０を提供してもよい。したがって、データ通信装置２０００は、送信シンボル位置を共有する際に相互干渉が少ないまたは無視できる程度の多重化特性を使用するように他のデータ通信装置を制御することができる。
【０１２１】
代替的または追加的に、データ通信装置２０００は、２つの他のデータ通信装置に多重化パターン１９８０，１９９０を使用するように指示するように構成されてもよい。ここで、他のいずれかのデータ通信装置に多重化パターン１９８０の使用を指示し、他のデータ通信装置に多重化パターン１９９０の使用を指示する。
【０１２２】
結論として、データ通信装置２０００は、他のデータ通信装置に送信シンボル位置の共有を指示するだけでなく、他のデータ通信装置に相互歪みを低減または回避する多重化特性の使用を指示してもよい。
【０１２３】
結論として、データ通信装置２０００は、通信リソース情報２０４０を提供することができ、それは、データ通信装置１７００に関して説明した通り、例えば、選択された送信シンボル位置のグループに対する参照シンボル位置の相対位置を記述する情報を含むことができる。代替的に又は追加的に、通信リソース情報２０４０は、データ通信装置１８００に関して説明されたように参照シンボル位置の可変割り当てをシグナリングするために使用されてもよい。また、通信リソース情報２０４０は、例えば、データ通信装置１９００が送信シンボル位置の割り当てや使用する多重特性の決定を行うために必要な情報のいずれかを含んでいてもよい。したがって、通信リソース情報２０４０は、データ通信装置１７００，１８００，１９００によって使用される情報項目のうちの１つまたはいくつかを含むことができる。
【０１２４】
さらに、データ通信装置２０００は、本明細書に記載の機能のいずれかを個別にまたは組み合わせて実行するように補足または修正することができることに留意されたい。また、データ通信装置２０００は、適切な通信リソース情報２０４０を提供することによって、データ通信装置１７００，１８００，１９００の機能のうちのいずれかを制御するように適合されうる。
【０１２５】
５．提案された技術ソリューションの概要
以下では、提案されている技術的解決法をもう少し詳細に説明する。特に、重要な点の概要が提供され、そして本発明の異なる重要な局面が記載される。
【０１２６】
本発明の一態様によれば、上りリンクのための新規の短い送信時間間隔パターン（ｓＴＴＩパターン）が作成される。詳細については、図３を参照して後述する。
【０１２７】
他の態様によれば、ｓＴＴＩ設計およびオーバーラップＤＭＲＳシンボルが提案される。特に、それらを適切な方法で（例えば、符号分割、および／または周波数分割、および／または空間分割を使用して）多重化することが提案される。さらに、本発明の一態様によれば、単純化されたスケジューリングのためのパターンが定義される。例えば、所定のコードブックからのパターンがシグナリングされてもよい。あるいは、またはさらに、パターンを半静的にシグナリングすることが可能である。一態様によれば、それらは上りリンク（ＵＬ）許可で動的にスケジュールされることができる。例えば、それらは、ｓＴＴＩの長さに応じてサブセットから動的にスケジュールすることができる。別の態様によれば、パターンはＳＲＳスケジューリング設定と一致させることができる。
【０１２８】
別の態様によれば、制御情報は、所与の許可において（またはいくつかの所与の許可において）使用するためにＤＭＲＳ位置をスケジュールするためにユーザ機器に提供される。制御情報は、ＰＵＳＣＨ（１ａ−１ｂ；２ａ−２ｃ；３ａ−３ｄ；４ａ−４ｅ）の前後にありうる。ｓＴＴＩ長は他に定義されてもよい。
【０１２９】
本発明の別の態様によれば、ＤＭＲＳ多重化モードのための制御情報が提供および／または使用されうる。制御情報は、例えば、使用する多重化モード（例えば、符号、周波数、および／または空間的、および／または非直交）を定義することができる。任意選択で、制御情報は、モードに関する追加のパラメータ、例えば、ＤＭＲＳ巡回シフトまたは周波数パターンを含むことができる。
【０１３０】
本発明の別の態様によれば、上で定義されたような（ｓＴＴＩが重複ＤＭＲＳシンボルを設計するとき）定義済みパターンを使用して、データおよびＤＭＲＳシンボルの位置および長さを静的に割り当てることができる。これらの所定のパターンは、例えば、ｓＴＴＩ長、割り当てられたＰＲＢ（物理リソースブロック）、サブキャリア、および／またはシグナリングモードに依存しうる。
【０１３１】
別の態様によれば、制御情報は、所与のＵＬ許可またはいくつかの所与のＵＬ許可で使用するためのユーザ機器（ＵＥ）のための可能なｓＴＴＩ構造のサブセットをシグナリングするために提供または使用される。そうでなければｓＴＴＩ長を定義しながらこの概念を使用することができる。ｓＴＴＩの長さを（半）静的に定義しながら、この概念を使用することもできる。本明細書に記載されるように、例えば、ケース２ｄ，３ａ，３ｄまたは３ａ，３ｂ，３ｃ，３ｄ，３ｅが参照される。
【０１３２】
上りリンクのための新しいｓＴＴＴパターン
以下では、（例えば、１つまたは複数のデータブロックを送信するためのデータ通信装置として指定された）ユーザ機器から基地局または調整局への上りリンクに使用できるいくつかの新規なｓＴＴＩパターンについて説明する。例えば、１つまたは複数のデータブロックを受信するためのデータ通信装置として指定される。本明細書で説明されるｓＴＴＩパターンは、例えば、データブロックを送信するためおよび復調基準信号を送信するために使用されるべき物理リソースを決定するためにユーザ機器によって使用されうる。同様に、新規のｓＴＴＩブロックは、受信信号からデータブロックを適切に抽出するために基地局または調整装置によって使用されうる。言い換えれば、新規のｓＴＴＩパターンの知識は、どの受信シンボルが参照シンボルであるか（したがって、チャネル推定に使用できるか）およびどの受信シンボルがデータシンボルであるかを決定するために基地局によって使用することができる。チャネル推定後のデータブロックの抽出について評価される。
【０１３３】
従来のＬＴＥから来て、各ＴＴＩ（送信時間間隔）はそれ自身の復調参照シンボル（ＤＭＲＳ参照シンボル）を含む。しかしながら、参照記号の可能な位置は図３に示されている（図３ａおよび図３ｂ）。様々なパターンのＰＵＳＣＨおよびＤＭＲＳシンボルおよびそれらの組み合わせをサポートすることが提案されている。
【０１３４】
ここで、図１および図２を参照する。ここで、各線（１ａで指定された線から６ｐで指定された線まで）は、ユーザ装置または一般にデータ通信装置に関連づけられるべき送信シンボル位置のグループを示す。（０から６までラベル付けされた）各列は、ＯＦＤＭシンボルに対する（時間的）シンボル位置を指定することに留意されたい。しかしながら、異なる選択肢が１つの行にのみ示されているとしても、各選択肢（１ａから６ｇ）は複数の周波数ビンまたは周波数副搬送波に拡張することができる。図１および図２の各行において。図３ａおよび図３ｂでは、送信シンボル位置「ＰＵＳＣＨ」および「ＤＭＲＳ」は共に「選択された送信シンボル位置のグループ」を表すことができ、送信シンボル位置「ＤＭＲＳ」は参照シンボル位置を表すことができる。本明細書で説明されるデータ通信装置は、図３ａおよび図３ｂの行に示されるケースのうちのいずれか、すなわち、選択された送信シンボル位置のグループと関連する参照シンボル位置との任意の組み合わせを選択することができる。
【０１３５】
ケース１ａ、１ｂおよび１ｃは、それぞれ１つのＰＵＳＣＨ（物理上りリンク共有チャネル）ＯＦＤＭシンボル時間間隔を含む送信シンボル位置のグループを記述する。例えば、第１のＯＦＤＭシンボル時間間隔３１２は、（周波数方向に延びる、複数の参照シンボル位置の場合には）１つまたは複数の参照シンボル位置を含む。第２のＯＦＤＭシンボル時間間隔３１４は、上りリンク・データ用の１つまたは複数のシンボル位置（複数の送信シンボル位置の場合、周波数方向に延びる）を含む。したがって、ケース１ａでは、第１のＯＦＤＭシンボル時間間隔３１２は１つまたは複数の参照シンボルと関連付けられ、第２のＯＦＤＭ時間間隔３１４は１つまたは複数の「有用データ」シンボルと関連付けられる。ケース１ｂでは、有用データと１つまたは複数の参照記号の順序が逆になる。したがって、１つまたは複数の参照シンボルを（それぞれ２つのＯＦＤＭシンボル時間間隔の時間的広がりを有する）送信シンボル位置のそれぞれのグループの先頭または末尾に配置すべきかどうかを柔軟に決定することができる。ケース１ｃでは、１つのＯＦＤＭシンボル時間間隔が「有用データ」に割り当てられ、（３つのＯＦＤＭシンボル時間間隔の時間的拡張を有するシンボル位置のグループの）２つの時間間隔が参照シンボルに割り当てられる。
【０１３６】
ケース２ａ−２ｅでは、２つのＯＦＤＭシンボル時間間隔が「有用データ」に関連付けられている。ケース２ａ、２ｂ、および２ｃに見られるように、グループの先頭のシンボル位置（ケース２ａ）、グループの内部のシンボル位置（ケース２ｂ）、またはａのどちらとして選択するかを選択することができる。グループの末尾のシンボル位置（ケース２ｃ）を１つまたは複数の参照シンボルに使用する必要がある。ケース２ｄから分かるように、グループの先頭とグループの末尾の両方に参照シンボル位置があるケースを選択することも可能である。ケース２ｅは別の特別なケースである。グループの先頭と末尾、そしてグループの内部には参照シンボルがある。これは比較的大きなオーバーヘッドを引き起こすが、強く変化するチャネルの場合には有利でありうる。
【０１３７】
ケース３ａ−３ｋは、「有用データ」に使用される３つのＯＦＤＭシンボル時間間隔がある状況を示す。参照記号は、グループの先頭（ケース３ａ）、グループの末尾（ケース３ｂ）、またはグループの内部（ケース３ｂおよび３ｃ）、あるいはグループ先頭と末尾の両方の場合（ケース３ｅ）に配置できる。さらに、いくつかの追加の特別なケースが示されている。参照シンボルの位置は、グループの先頭とグループの内部（ケース３ｆおよび３ｇ）の両方、またはグループの内部とグループの末尾（ケース３ｈと３ｉ）の両方に指定できる。また、参照記号位置は、グループの先頭、グループの内部、およびグループの末尾にすることができる（ケース３ｇおよび３ｋ）。
【０１３８】
「有用なデータ」のために４つのＯＦＤＭシンボル間隔が使用されている場合についても同様のリソース割り当てを行うことができる。参照シンボル位置は、選択されたグループの先頭（ケース４ａ）または末尾（ケース４ｅ）または内部（ケース４ｂ−４ｄ）にありうる。参照記号位置はまた、選択されたグループの先頭と末尾の両方にありうる（ケース４ｆ）。また、内部（４ｇ）内にいくつかの参照シンボル位置がありうる。グループの戦闘と内部にある参照記号の位置（ケース４ａ−４ｊ）、グループの内部と末尾の部分にある参照シンボル（ケース４ｋ−４ｍ）、およびグループの最初、内部と末尾の位置にある参照シンボル（ケース４ｎ−４ｐ）も可能である。
【０１３９】
有用なデータを有する５つのＯＦＤＭシンボル時間間隔のためのリソース割り当ては、ケース５ａ−５ｇとして指定され、有用なデータのために使用されている６つのＯＦＤＭシンボル時間間隔を有するリソース割り当ては、６ａ−６ｇで指定される。
【０１４０】
ここで、上記の例では、妥当なリソース効率を得るために、参照シンボルに関連する２つのＯＦＤＭシンボル時間間隔の間に有用データに関連する１つのＯＦＤＭシンボル時間間隔が常にあるべきであると仮定した。また、現実的なグループ長については、グループの先頭または末尾に参照シンボル位置がある場合（特別なケース４ｇを参照）、または参照シンボル位置に使用されるグループの内部における１つのＯＦＤＭシンボル時間間隔だけを有することで通常十分であると仮定された。
【０１４１】
結論として、本明細書で言及されるユーザ機器および基地局は両方とも、参照シンボル位置の割り当てに対する十分な変動の可能性を提供するために、図３ｂに示されるケース１ａ−６ｇのすべて、またはこれらのケースの少なくとも妥当なサブセットを扱うことができなければならない。
【０１４２】
なお、多重化することなく（すなわち、複数のデータ通信装置間で参照シンボル位置を共有することなく）、ＤＭＲＳを中央にした変形例が好ましい（例えば、ケース２ｂ、３ｂ、３ｃ、４ｃ）。ＤＭＲＳを複数の送信時間間隔（または複数のユーザ機器、または複数のグループの送信シンボル位置）に多重化（共有）するとき、ＤＭＲＳシンボルを２つの（後続の）多重化（共有）ＴＴＩのうちの１つのより（共通の）中心に配置することは有益である。例えば、これは、ＤＭＲＳシンボルが第１のグループの送信シンボル位置の末尾および後続の（重複する）第２のグループの送信シンボル位置の戦闘に配置されるべきであることを意味する。
【０１４３】
一例を図４に示す。第１の線（ａで示す）は、タイプ２ｂの送信シンボル位置の２つのグループのシーケンスを示す。２行目（例ｂ）では、ＵＥ１（例えば、第１のユーザ機器）にパターン２ｃ（図３ａに示すように）が割り当てられ、ＵＥ２（例えば、第２のユーザ機器）にパターン２ａ（例えば、図３ａに示すように）が割り当てられる。したがって、両方のユーザ機器に対するＤＭＲＳは、「ＯＦＤＭシンボル２内」で（例えば、サブフレームの第３のＯＦＤＭシンボル時間間隔で）多重化される。
【０１４４】
したがって、基地局は、３つのＯＦＤＭシンボル時間間隔の時間的広がりを有し、その端部に参照シンボル位置を有する送信シンボル位置のグループを使用するように第１のユーザ機器に指示することができる。さらに、基地局は、ＯＦＤＭシンボル時間間隔をカバーし、最初に参照シンボル位置を有する送信シンボル位置のグループを使用するように第２のユーザ機器に指示することができる。また、第２のユーザ機器によって使用される送信シンボル位置のグループは、第１のユーザ機器に関連付けられた送信シンボル位置のグループよりも２つのＯＦＤＭシンボル時間間隔後に開始すべきであることをシグナリングすることができる。
【０１４５】
ＤＭＲＳシンボルの多重化は任意の適切な方法で行うことができる。例えば、符号分割および／または周波数分割および／または空間分割を使用することができる。これは送信の先頭および／または先頭に行うことができる。
【０１４６】
以下では、いくつかのさらなる例を説明する。
【０１４７】
図６は、１つの共有ＤＭＲＳを用いて短い送信を送信するＵＥ１およびＵＥ３（ユーザ機器１およびユーザ機器３）を示す。より長い送信を有するＵＥ２（ユーザ機器２）は、送信の先頭と末尾に２つのＤＭＲＳシンボルを共有する。これは、例えば、信号対雑音比（ＳＮＲ）が悪い、またはチャネル状態が急激に変化しているなどの、他の理由でも可能である。
【０１４８】
言い換えれば、先頭と末尾の両方に参照シンボル位置を有する送信シンボル位置のグループを持つことは実際には理にかなっている。他方、送信シンボル位置のグループを最後に参照シンボル位置のみを有するか、または最初に参照シンボル位置のみを有するようにすることも意味がある。例えば、図３ａの例１ｂによる送信シンボル位置のグループはユーザ機器１に関連付けられてもよく、図３ａの例３ｅによる送信シンボル位置のグループはユーザ機器２に関連付けられてもよい。図３ａの例１ａによる送信シンボル位置の数は、ユーザ機器３に関連付けられうる。
【０１４９】
結論として、図６は、異なる送信長を有する共有ＤＭＲＳシンボルの柔軟な位置決めを示す。
【０１５０】
図５は、異なる帯域幅割り当てを有するユーザ機器の多重化を示す。周波数割り当てが異なるときには、１つのユーザ機器を２つ以上の他のユーザ機器と多重化することができることが分かる。
【０１５１】
ここで図５を参照すると、（例えば）３つのＯＦＤＮシンボル時間間隔の時間長を含み、かつ（例えば）２つの周波数ビンまたは周波数サブキャリアの周波数拡張を有するの送信シンボル位置のグループがユーザ機器１に関連付けられうる。これは、図３ａに示される例２ｃの周波数拡散バージョン（２つの周波数ビンまたは周波数副搬送波の周波数拡張に調整される）に対応しうる。同様に、例えば３つのＯＦＤＭシンボル時間間隔の時間的拡張を含み、２つの周波数ビンまたは周波数サブキャリアの周波数拡張を有する送信シンボル位置のグループは、ユーザ機器２に関連付けられうる。それはまた、２つの周波数ビンまたは周波数副搬送波の周波数拡張に拡張された、図３ａに示されるような構成２ｃに対応する。ユーザ機器１および２に関連付けられた送信シンボル位置のグループは両方とも末尾に参照シンボルを含む。ユーザ機器３は、例えば３つのＯＦＤＭシンボル時間間隔の時間的拡張と３つの周波数ビンまたはサブキャリアの周波数拡張とを有する送信シンボル位置のグループを関連付けた。それは、周波数拡張が３つの周波数ビンまたはサブキャリアに調整された、図３ａに示される例２ａに対応しうる。ユーザ機器４は、例えば３ＯＦＤＭシンボル時間間隔の時間的広がりと１つの周波数ビンまたは周波数サブキャリアの周波数拡張とを有する送信シンボル位置のグループを関連付けていてもよい。ユーザ機器３とユーザ機器４の両方は、参照シンボル位置がそれぞれのグループの送信シンボル位置の始めにあるように構成されうる。したがって、ユーザ機器１に関連付けられた送信シンボル位置のグループは、ユーザ機器３に関連付けられた送信シンボル位置のグループと重複するだけである。一方、ユーザ機器２に関連付けられた送信シンボル位置のグループは、ユーザ機器３に関連付けられた送信シンボル位置のグループおよびユーザ機器４に関連付けられた送信シンボル位置のグループと重なる。やはり、基地局は、ユーザ機器への送信シンボル位置のグループの非常に柔軟な割り当てを可能にする通信リソース情報を提供することができることが分かる。
【０１５２】
異なる伝送長と帯域幅割り当てとの組み合わせを図７に示す。ここで、ユーザ機器１（ＵＥ１）およびユーザ機器３（ＵＥ３）は、それらのＤＲＭＳ、ならびにユーザ機器２、３および４（ＵＥ２、ＵＥ３およびＵＥ４）を多重化する。
【０１５３】
図７ａを参照すると、第１の周波数範囲では、第１のグループの送信シンボル位置が第１のユーザ装置ＵＥ１に割り当てられ、前の送信シンボル位置のグループと重なる第２のグループの送信シンボル位置は、ユーザ機器ＵＥ３に割り当てられることが分かる。したがって、ユーザ機器１とユーザ機器３との間で１つまたは複数の参照シンボル位置の共有がある。別の第２の周波数範囲では、送信シンボル位置のグループは第２のユーザ機器２に関連付けられる。さらに、ユーザ機器３に関連付けられた送信シンボル位置のグループの時間的な末尾は、ユーザ機器２に関連付けられた送信シンボル位置のグループの時間的な末尾と同一である。しかしながら、ユーザ装置１に関連する送信シンボル位置のグループは、末尾に参照シンボル位置を含むことに留意されたい。ユーザ機器３に関連付けられた送信シンボル位置のグループは、先頭と末尾の両方に参照シンボル位置を含む。ユーザ機器２に関連付けられた送信シンボル位置のグループは、末尾にのみ参照シンボル位置を含む。さらに、第１の周波数範囲と第２の周波数範囲の両方をカバーする送信シンボル位置のグループは、第４のユーザ機器ＵＥ４に関連付けられる。第４のユーザ装置に関連する送信シンボル位置のグループは、先頭に参照シンボル位置を含むだけである。したがって、第１の周波数範囲において、第３のユーザ機器に関連付けられた送信シンボル位置のグループの末尾の参照シンボル位置は、第４のユーザ機器に関連付けられた送信シンボル位置のグループの先頭の参照シンボル位置と重なる。同様に、第２のユーザ機器に関連付けられた送信シンボル位置のグループの末尾の参照シンボル位置は、第２の周波数範囲において第４のユーザ機器に関連付けられた参照シンボル位置と重なる。従って、柔軟なリソース割り当ての可能性があることが分かる。特に、先頭の位置で両方の周波数範囲をカバーし、参照シンボルを有する送信シンボル位置のグループと依然として参照シンボル位置を共有しながら、異なる数の送信シンボル位置のグループが第２の周波数範囲と比較して第１の周波数範囲に配置されうる。しかしながら、図７ａに示される割り当て方式は、時間に関して及び／又は周波数に関して鏡映されることが当然可能である。
【０１５４】
図７ｂに示すシナリオは、第１のユーザ装置に関連する送信シンボル位置のグループと第１のユーザ機器に関連付けられた送信シンボル位置のグループのみと重複する第４のユーザに関連する送信シンボル位置のグループとの間にある送信シンボル位置のグループが異なるという点で図７ａに示すシナリオと異なるが、しかし、第４のユーザ機器に関連する送信シンボル位置のグループと重ならない。したがって、第４のユーザ機器に関連付けられ、第１の周波数範囲の間にある参照シンボル位置は共有されず、第４のユーザ機器によってのみ使用される。しかしながら、第４のユーザ機器は、依然として第２の周波数範囲内の参照シンボル位置を第２のユーザ機器と共有している。したがって、参照シンボル位置を共有するためにありとあらゆる可能性を使用する必要がないことは明らかである。むしろ、場合によっては、追加のオーバーヘッドを発生させることなしにそうする可能性があるとしても、参照シンボル位置を共有することは不要でありうる。
【０１５５】
結論として、基地局とユーザ機器の両方は、送信シンボル位置のグループの割り当てのために非常に柔軟な方式を使用することができる。ここで、ある点では送信シンボル位置の共有があり、他の点では隣接する送信シンボル位置のグループ間で参照シンボル位置の共有がないかもしれない。
【０１５６】
フレーム構造は、図７に示されており、本明細書に記載されている他の任意のフレーム構造と同様に、特定のサブキャリアに半静的に割り当てられるか、または上りリンクリソースグラントで動的にシグナリングされうる。
【０１５７】
ｓＴＴＩの設計とＤＭＲＳシンボルの重複
本発明による実施形態は、１、２、３、および４個のＯＦＤＭ  ＰＵＳＣＨシンボルの長さを有する複数のｓＴＴＩ間でＤＭＲＳシンボルの多重化を可能にするサブフレーム設計を作成または使用する。可能性のある変形のいくつかを図８に示す。しかしながら、図８はいくつかのサンプルのみを示し、そしていくつかの実施形態では、それらがありとあらゆるバリエーションを含むことが望ましいことがあることに留意されたい。しかし、当然のことながら、ありとあらゆるバリエーションが含まれている必要はない。しかしながら、いくつかの実施形態では、図８に示される構成のいくつかまたはすべて、あるいはさらに異なる構成を実装することで十分でありうる。
【０１５８】
図８を参照すると、個々の行（番号１から８）は、複数のユーザ機器への送信シンボル位置の異なる割り当てを説明していることに留意されたい。しかしながら、一例として、各行は１４個のＯＦＤＭシンボル時間間隔（０〜１３のラベルが付けられている）を含み（または、表し）、各行はＬＴＥサブフレームの持続時間を表すことに留意されたい。１行目に見られるように、末尾に参照シンボル位置を有するタイプ３ｄの送信シンボル位置のグループと、先頭に参照シンボル位置を有するタイプ３ａの送信シンボル位置のグループとが、先頭の７つのＯＦＤＭシンボル時間間隔に割り当てられる。ここで、参照シンボルの位置に重複がある。次の７つのＯＦＤＭシンボル時間間隔について同じ構造が繰り返される。ここで、第２のグループの送信時間間隔と第３のグループの送信時間間隔との間に重複はない。したがって、参照シンボル位置は、第４のＯＦＤＭシンボル時間間隔（間隔「３」）および第１１のＯＦＤＭシンボル時間間隔（間隔「１０」）内にあり、両方のケースで共有される。
【０１５９】
２行目には、さらに別のシーケンスが示される。送信シンボル位置の第１のグループはタイプ４ｅであり、末尾に参照シンボル位置を有する５つのＯＦＤＭシンボル時間間隔の時間的拡張を有する。第２のグループの送信シンボル位置はタイプ３ｅであり、５つのＯＦＤＭシンボル時間間隔の総時間的広がりを含み、そして先頭の参照シンボル位置と末尾の参照シンボル位置とを含む。送信シンボル位置の第３のグループは、５つのＯＦＤＭシンボル時間間隔の総時間的広がりを有するタイプ４ａのものである。第１のグループと第２のグループの送信シンボル位置との間には重複がある。そして、第２および第３のグループの送信シンボル位置にも重複がある。さらに、最後にＳＲＳシンボルがある（ＯＦＤＭシンボルインデックス１３）。
【０１６０】
同様のシナリオが３行目にも示されており、送信シンボル位置のグループの長さにいくらかの変動がある。
【０１６１】
４行目には、それぞれが４つの有用なビットを含む３つのグループの送信シンボル位置があるシナリオが示されている。送信シンボル位置の第１のグループは末尾に参照シンボル位置を含み、第２のグループの送信シンボル位置（タイプ４ｆ）は、先頭と末尾の両方において参照シンボル位置を含み、第３のグループの送信シンボル位置（４ａ）は先頭にのみ参照シンボル位置を含む。したがって、参照シンボル位置に関して比較的小さなオーバーヘッドで、特に効率的なチャネル推定を行うことができる。
【０１６２】
同様のケースが６行目にも示されているが、時間的に短い送信シンボル位置のグループに対するものである。
【０１６３】
共有参照シンボル位置を有する送信シンボル位置のグループの不等な長さについては以外、７行目の列および８行目は、４行目に示される実施例と類似しているケースを示す。７行目と８行目は、４行目に示した例と同様であるが、共有された参照シンボル位置を有する送信シンボル位置のグループの長さが等しくない場合を示す。すなわち、１行目、７行目および８行目に示す例では、第１および第２のグループの送信シンボル位置は、共通の参照シンボル位置を有し、第３および第４のグループの送信シンボル位置もまた、共有参照シンボル位置を有する。しかしながら、第２のグループの送信シンボル位置と第３のグループの送信シンボル位置との間の参照シンボル位置の共有はない。また、１行目、７行目、８行目の例では、第２の送信シンボル位置のグループから第３の送信シンボル位置のグループへの遷移時に、参照シンボルが全くない。
【０１６４】
ここで５行目の例を参照すると、第１のグループの送信シンボル位置と第２のグループの送信シンボル位置との間の参照シンボル位置の共有がある。第２のグループの送信シンボル位置と第３のグループの送信シンボル位置との間の参照シンボル位置の共有はない。一方、第３のグループの送信シンボル位置と第４のグループの送信シンボル位置との間には共有があり、そして、第４のグループの送信シンボル位置と第５のグループの送信シンボル位置との間にも参照シンボルの共有がある。したがって、送信シンボル位置のどのグループが送信シンボル位置の共有があるかの間に不規則なパターンもありうることが分かる。
【０１６５】
さらに、図８の上記の例では、送信シンボル位置のグループは、それらの時間的位置（第１グループ、第２グループ、第３グループなど）に従って番号付けされていることに留意されたい。
【０１６６】
さらに、いくつかの実施形態において、図８の異なる行に示される異なる構成は、いくつかの実施形態における共通の物理リソースブロック（ＰＲＢ）において使用されうることに留意されたい。いくつかの実施形態では、図８の異なる行に示される異なる構成の使用法間（または図８の行に示される異なる構成の少なくともいくつかの間）に切り替える可能性があれば十分である。例えば、基地局は、どの構成を使用すべきか（またはどの構成の組み合わせを使用すべきか）をシグナリングすることができる。一方、機器のユーザは、基地局からのシグナリングに反応することができなければならず、基地局によってシグナリングされた異なる割り当てに適応することができなければならない。したがって、ユーザ機器は、図８の行に示されている構成のうちの少なくともいくつかを効果的に処理することができなければならず、基地局は、異なる構成の使用を制御できなければならない。
【０１６７】
与えられた許可またはいくつかの与えられた許可で使用するＤＭＲＳの位置を知らせるためのユーザ機器への制御情報
ＤＭＲＳシンボルの位置を動的に設計するために、ＤＭＲＳシンボルが送信されることになっているユーザ機器にシグナリングする制御情報が追加されうる。単純な場合では、これは、ＤＭＲＳ位置が、送信の先頭の時または末尾の（例えば、選択された送信シンボル位置のグループの先頭の時または選択された送信シンボル位置グループの末尾の時）にあることをシグナリングする１ビットブール信号として実装されうる。そのようなシグナリングの一例が図１３の表に示されている。
【０１６８】
図１３は、ＤＣＩメッセージ（下り制御情報）をテーブル形式で示している。下りリンク制御情報のいくつかのフィールドは、現在のＬＴＥ規格、例えば本願の出願日に有効なＬＴＥ規格のバージョンにおいて定義されている意味を有することができる。ただし、下り制御情報には１ビットのＤＭＲＳ位置情報が付加されている。この１ビットＤＭＲＳ位置情報は、例えば、送信の開始時または終了時（例えば、ユーザ装置に関連する送信シンボル位置のグループの先頭の時または末尾の時）のＤＭＲＳシンボル位置を示す。
【０１６９】
あるいは、いくつかのＤＭＲＳ位置（例えば、３つ以上のＤＭＲＳ位置）の定義を可能にする列挙型フィールドを有する方式を使用することができる。これは、図４に示すように送信設計のサブセットを選択することによって実施することができる。そのような概念の一例を図１４の表に示す。
【０１７０】
図１４は、１ビット（または２ビット）のＤＣＩ位置フィールドを追加した下り制御情報メッセージ（ＤＣＩメッセージ）を表形式で示している。図１４に見られるように、「ＤＭＲＳ位置」と題されたフィールドが、下りリンク制御情報メッセージ（例えば、本願の出願日に有効なＬＴＥ規格のバージョンによって定義されるような下りリンク制御情報メッセージ）に追加される。下りリンク制御情報メッセージの他の内容は、図１４から分かる。図１４から分かるように、ＤＭＲＳ位置情報は、２つのシンボルを有する（または２シンボル位置の長さを有する）ｓＴＴＩの場合、１ビットを含みうる。この場合、ＤＭＲＳ位置情報は、ＤＭＲＳ位置が「前方」である場合と後方（例えば、選択された送信シンボル位置のグループ）である場合とを区別することができる。しかしながら、ｓＴＴＩが３つ以上のシンボルを含む（または３つ以上のシンボルの長さを含む）場合、２ビットがＤＭＲＳ位置情報に使用されてもよい。例えば、前部、後部、中央部、または前部と後部の両方におけるＤＭＲＳ位置は、２ビットのＤＭＲＳ位置情報によってシグナリングされうる。例えば、ＤＭＲＳ位置情報は、上述のように（例えば、図３に示されるように）ケース６ａ、６ｇ、６ｄ、および５ｇを切り替えることができる。
【０１７１】
ここで、「ＤＭＲＳ位置」情報は、上述したように、「選択されたグループに対する参照シンボル位置の相対位置を記述する情報」に対応しうることに留意されたい。
【０１７２】
しかしながら、ＤＭＲＳ位置情報についての異なるシグナリングオプションもまた可能であることに留意されたい。
【０１７３】
ＤＭＲＳ多重化モードの制御情報
２つのユーザ間でＤＭＲＳを多重化するとき、基地局（または「ｅＮＢ」）にとって、各ユーザ機器によってどの直交符号または周波数パターンが使用されるべきかなどの追加のパラメータを送信することは有益である。
【０１７４】
いわゆる「Ｚａｏｆｆ−Ｃｈｕ」シーケンスを維持するとき、巡回シフトを使用してユーザを区別することができる。言い換えれば、ＤＣＩメッセージに含まれることがある巡回シフト情報は、共有参照シンボル位置における参照シンボルの送信のための適切な多重化特性を決定するために使用されることができる。
【０１７５】
他の多重化方式では、ＤＭＲＳ巡回シフトフィールドは、使用する多重化パターンをシグナリングするために再使用することができる。他の1人以上のユーザがＭＩＭＯを使用している場合、これは特に重要になる。次に、各アンテナからのシーケンスを分離する必要がある。
【０１７６】
図９の例は、１ビットによってシグナリングされうる２つの異なるモード（または多重化特性）（「モードＡおよびモードＢ」）を示す。ユーザ間のソースも共有できるため、ＤＲＭＳは同じリソースに多重化されます。したがって、特に割り当てられたサブバンドのエッジ位置において補間性能が向上する。信号の重ね合わせが受信機で利用されるように、リソースを共有することで十分である。つまり、ＤＲＭＳシンボルを単純に追加するだけで十分である。
【０１７７】
以下では、図９に示されるようなＤＭＲＳの周波数多重化について簡単に説明する。図９は、より良い補間のためにエッジに共有シンボルを有するＤＭＲＳの周波数多重化を示す。
【０１７８】
参照番号９１０を有する第１の表現「ａ」は、複数の参照シンボルを多重化するときに、（所与の瞬間に対して）周波数上のどのＯＦＤＭシンボルが第１の選択肢として使用されるかを記述する。第２の代替案が参照番号９２０（「ｂ」）に示されている。
【０１７９】
参照番号９１０で分かるように、（１組のＤＭＲＳシンボルの送信に使用される周波数範囲内の）最も高い周波数を有するＯＦＤＭシンボル９１２は共有ＯＦＤＭシンボルであり、これは第２の選択肢９２０でも使用される。同様に、（複数のＤＭＲＳシンボルの提供に使用される周波数範囲内の）最低周波数を有するＯＦＤＭシンボル９１４も共有ＯＦＤＭシンボルであり、これは第２の代替案でも使用される。ＯＦＤＭシンボル９１４と９１２との間に、未使用のＯＦＤＭシンボル９１６ａ−９１６ｄと「排他的」ＯＦＤＭシンボル９１８ａ−９１８ｄとが交互に存在し、これらは第１の選択肢９１０でのみ使用され、第２の選択肢９２０では使用されない。第２の代替案はまた、最低周波数および最高周波数の共有ＯＦＤＭシンボル９１４'，９１２'を含む。これらの共有ＯＦＤＭシンボル９１４'，９１２'は、（それらが同じ周波数を有するという点で）共有ＯＦＤＭシンボル９１４，９１２に対応する。さらに、第２の代替案はまた、ＯＦＤＭシンボル９１４'と９１２'との間に、第２の代替案でのみ使用され第１の代替案では使用されない排他的ＯＦＤＭシンボル９２６ａ−９２６ｄと未使用のＯＦＤＭシンボル９２８ａ−９２８ｄとの交代を含む。ＯＦＤＭシンボル９２６ａ−９２６ｄは、周波数においてＯＦＤＭシンボル９１６ａ−９１６ｂに対応することに留意されたい。同様に、ＯＦＤＭシンボル９２８ａ−９２８ｄは、周波数においてＯＦＤＭシンボル９１８ａ−９１８ｄに対応する。
【０１８０】
したがって、ＯＦＤＭシンボル９１４、９１４’および９１２、９１２’は、周波数多重化の第１の選択肢「ａ」と第２の選択肢「ｂ」との間で共有されることに留意されたい。共有ＯＦＤＭシンボル９１４、９１４’、９１２、９１２’の間には、排他的に使用されるＯＦＤＭシンボルがあり、これは第１の選択肢「ａ」または第２の選択肢「ｂ」のいずれかで使用される。
【０１８１】
結論として、図９は、一連のＤＭＲＳシンボルの周波数多重化を示し、これは、選択された送信シンボル位置のグループが、かなり多数の周波数ビンまたはサブキャリアを含む場合（すなわち、十分に大きい周波数範囲、例えば、図９に示されるような周波数拡散または多重化が可能であることに留意されたい。次に、図９に示すような周波数多重化を適用して、選択された参照シンボル位置（例えば、第１のユーザ機器によって使用され、別の選択肢は第２のユーザ機器によって使用される、１つの選択肢を有する、送信シンボル位置のグループの末尾および後続の重複する送信シンボルのグループの先頭）に参照シンボルを含めることができる。
【０１８２】
ＤＭＲＳ多重化のためのセル間干渉調整（ＩＣＩＣ）
ＤＭＲＳシンボルが送信されるとき、それは隣接セルにおいて干渉を引き起こす可能性がある。これは、既知の異なるパターンを同時に送信することによって最小限に抑えることができる。
【０１８３】
ＤＭＲＳグループを指定することによってこれをすることが提案される。各グループは、可能な多重化パターンのサブセットを含む。このグループは、セル識別子（セルＩＤ）などの他のパラメータセットから明示的にシグナリングされるか、または暗黙的に導出されることが可能である。
【０１８４】
図１０は、直交グループを導入することによるＤＭＲＳシーケンスのためのセル間干渉調整のための概念を示す。図１０は、それぞれが１つまたは複数のＵＥ（この場合はＵＥ１およびＵＥ２）にＵＬ割り当てを送信する、２つの隣接するｅＮＢ１０１０，１０２０（ｅＮＢ１およびｅＮＢ２）を示す。ｅＮＢは、基地局またはデータ通信装置と見なすことができる。ユーザ機器１０３０，１０４０もデータ通信装置と見なすことができる。したがって、基地局１０１０は第１の上りリンク割り当て１０１２をユーザ機器１０３０に送信し、基地局１０２０は第２の上りリンク割り当て１０２２をユーザ機器１０４０に送信する。両方の上りリンク割り当て（ＵＬ割り当て）は、＃１（Ｎｏ．１）としてＤＭＲＳパターン（またはＤＭＲＳ多重化特性）を指定する。ユーザ機器側では、パターン＃１がグループ・サブセットから取られる。この場合、ユーザ機器１（ＵＥ１）では、これはグループｇ１からのパターン「ａ」（＃１）である。言い換えれば、グループ１はユーザ機器１に割り当てられ、以下で説明されるように、この割り当ては異なる方法で行われることができる。さらに、ユーザ機器１１０３０は、上りリンク・データおよびＤＭＲＳデータを第１の基地局１０１０に送信することに留意されたい。ここで、グループ１、パターン＃１によって定義される多重化パターン「ａ」は、ＤＭＲＳの送信に使用される。同様に、ユーザ機器１０４０は上りリンク・データとＤＭＲＳを送信する。ここで、グループ２、パターン＃1で定義された多重化パターンはＤＭＲＳに使用される。
【０１８５】
ここで、図１５を参照すると、ＤＭＲＳ多重化パターンのグループ化が示されている。言い換えれば、図１５の表３は、パターン（パターン「ａ」〜「１」）の可能なグループ分け（グループ１〜３）を示す。パターン「ａ」〜「ｌ」は、干渉を適度に小さく保つように選択することができる。特に、パターンは、異なるグループのパターン間の干渉が特に小さくなるように選択されてもよい。
【０１８６】
ＤＭＲＳシーケンスのセル間直交性を維持しながらパターン番号（パターン＃１〜４）（２ビット）のみをシグナリングすればよいので、この概念は基地局ｅＮＢによる必要なシグナリングを低減することに留意されたい。２つのそのようなパターンの例示的な実装形態が図１１に示されている。２つのパターンの実施例では、「Ａ」から「Ｄ」は異なるユーザが送信している。これは、時間周波数リソース上でＤＭＲＳ（Ａ〜Ｄ）を共有する４人のユーザを、同時に送信している３人のユーザに等しく拡散する。ここで、図１１を参照すると、２つの多重化パターンが示されている。第１の多重化パターン１１１０は、例えば、どのユーザ装置（データ通信装置）がどの送信シンボル位置に送信すべきかを定義する。第１の多重化パターン１１１０によって定義される送信シンボル位置は、典型的には時間的に同時であるが、異なる周波数（異なる周波数ビンまたは異なる副搬送波）にある。例えば、ユーザ機器「Ａ」は、第２の周波数１１１４、第３の周波数１１１６、および第４の周波数１１１８で（例えば、ＯＦＤＭ変調シンボル）送信すべきであることが分かる。対照的に、ユーザ機器「Ｂ」は、第１の周波数１１１２、第２の周波数１１１４、および第４の周波数１１１８で送信するべきである。装置「Ａ」の多重化パターン（第２の周波数、第３の周波数、第４の周波数）は、例えば、多重化パターン「ａ」に対応しうる。同様に、ユーザ機器「Ｂ」の多重化パターン（第１の周波数、第２の周波数、第４の周波数）は、多重化パターン「ｂ」に対応しうる。第３の多重化パターン１１２０は、ユーザ機器「Ｃ」が第１の周波数１１１２’、第３の周波数１１１６’および第４の周波数１１１８’で送信することを定義する。さらに、第２の多重化パターン１１２０は、ユーザ機器「Ｄ」が第１の周波数１１１２’、第２の周波数１１１４’および第３の周波数１１１６’で送信すべきであることを定義する。したがって、装置「Ｃ」の多重化パターン（第１の周波数、第３の周波数、第４の周波数）は、多重化パターン「ｃ」（または代替として、多重化パターン「ｅ」）に対応しうる。装置「Ｄ」の多重化パターン（第１の周波数、第２の周波数、第３の周波数）は、多重化パターン「ｄ」（または代替として、多重化パターン「ｆ」）に対応しうる。
【０１８７】
したがって、多重化パターン１１１０，１１２０は、最悪の条件下でも、同時に送信する４つのユーザ機器があることを回避する。
【０１８８】
しかしながら、当然のことながら、異なる多重化パターンも使用可能であることに留意されたい。
【０１８９】
事前定義パターン
データおよびＤＭＲＳシンボルの位置および長さを静的に割り当てるための「ｓＴＴＩ設計のＤＭＲＳシンボルの重なり」のセクションで定義されるような事前定義されたパターンを以下に説明する。
【０１９０】
シグナリングのオーバーヘッドを減らすために、設定済みまたは事前定義済みのパターンを使用できる。これらは、例えば、送信長（ｓＴＴＩ）、割り当てられた周波数（ＰＲＢ）、使用されるコンポーネントキャリアまたはサブキャリア、送信機またはユーザ装置ＵＥにシグナリングされる送信時間またはモード、に依存して定義されうる。
【０１９１】
ユーザ機器は、割り当てられたリソースに従って送信パターンを使用することができる。図１２の例は割り当てを示す。どのＴＴＩ（送信時間間隔）およびどの周波数がユーザに予定されているかに依存して、それは定義された送信時間間隔長およびＤＭＲＳ位置を使用するであろう。
【０１９２】
言い換えれば、基地局は、複数の可能な全体リソース割当方式のうちのどの全体リソース割当方式を使用すべきかをシグナリングすることができる。この選択されたリソース割り当て方式は、個々のユーザ機器へのリソース割り当ての基礎を形成する。例えば、個々のユーザ機器によって使用されるリソースを記述する個々の情報は、例えば、全体的なリソース割り当て方式によって定義される送信シンボル位置のグループのうちのどれを所与のユーザ機器によって使用すべきかを何らかの方法で定義することができる。この情報に基づいて、ユーザ機器は、全体的なリソース割り当て方式から追加の情報（例えば、参照シンボルの位置）を取得することができる。したがって、ユーザ機器が全体的なリソース割り当て方式に関する彼の知識に基づいて、これらの特徴（例えば、参照シンボル位置、そのグループの送信シンボル位置の時間的広がりおよび／またはその割り当てられたグループの送信シンボル位置の周波数拡張）を決定することができる限り、リソース割り当てのありとあらゆる詳細をシグナリングする必要はもはやない。
【０１９３】
ＬＴＥリソースグリッド上の周波数および時間におけるＴＴＩ長およびＤＭＲＳ位置の例示的な割り当てを図１２に示す。言い換えれば、図１２は、送信シンボル位置の２次元グリッドにおける全体的なリソース割り当ての表現を示す。第１の時間部分１２１０には、異なる時間的広がりを有する複数の異なる送信シンボル位置のグループがあることが分かる。第１の周波数範囲１２２０には４つのグループがあり、第１の対のグループ１２３０ａ，１２３０ｂは参照記号位置を共有し、第２の対のグループ１２３０ｃ，１２３０ｄも参照シンボル位置を共有する。第２の周波数範囲１２２２において、やはり参照シンボル位置を共有する２つのグループの送信シンボル位置がある。第３の周波数範囲１２２４では、送信シンボル位置のただ１つのグループがある。最初の時間部分１２１０においてさえも、参照シンボル位置は周波数にわたって変化する、すなわち（例えば、物理リソースブロック内でさえも）固定グリッドをたどることになることが分かる。
【０１９４】
第２の時間部分１２１２において、同様のリソース割り当てがある。ただし、第１周波数範囲には送信シンボル位置が２グループあり、第２周波数範囲には送信シンボル位置が１グループあり、第３周波数範囲には送信シンボル位置が４グループある。
【０１９５】
したがって、例えば、送信シンボル位置の所定のグループのうちのどれがどのユーザ装置によって使用されるべきかを割り当てることだけが必要である。全体的なリソース割り当て方式に関するその知識に基づいて、ユーザ機器は必要とされる他のパラメータ（時間的広がり、周波数拡張、参照シンボルの位置）を導出し続ける。
【０１９６】
ｓＴＴＩの概念に関する一般的な総論
ＦＤＤおよびＴＤＤシステムについては、超高信頼性低待ち時間通信（ＵＲＬＬＣ）のためのより良いサポートトラフィックのために、新規の無線フレーム構造が現在議論されている。しかしながら、将来のＬＴＥリリースにおいてショートＴＴＩ（ｓＴＴＩ）の概念を導入することによって、例えば、非特許文献１を参照のこと。待ち時間短縮に関する３ＧＰＰ作業項目では、サブフレームサイズに対する制限を克服することができる。将来のＬＴＥリリース１４の現在の実用的な前提は、次の構成でsｓＴＴＩの概念を可能にすることである：
【０１９７】
ＦＤＤシステム：
−  下りリンク（ＰＤＳＣＨ）、動作上の前提：２、３−４、７個のＯＦＤＭシンボルを含むｓＴＴＩ（ＯＳ）
−  上りリンク（ＰＤＳＣＨ）、実用的な前提：２、３−４個のＯＦＤシンボルを含むｓＴＴＩ（ＯＳ）
【０１９８】
ＴＤＤシステムの動作前提：
−  ｓＰＤＳＣＨ／ｓＰＤＣＣＨ／ｓＰＵＳＣＨ／ｓＰＵＣＣＨの場合、１スロット（＝  ７  ＯＦＤＭシンボル）ｓＴＴＩ
Ｎｅｗ  Ｒａｄｉｏ（ＮＲ）または５Ｇと呼ばれる将来の移動通信規格では、ＴＴＩの長さは、１つのＯＦＤＭシンボルのみの短縮バージョン、または少なくともＬＴＥ  Ｒｅｌ  １４のＵＲＬＬＣについて提案されている構成をサポートするために短縮されうる。
【０１９９】
データ通信装置における波形生成・波形解析に関する総論
実施形態では、トランシーバ（またはデータ通信装置）は無線通信システム内の基地局（またはユーザ機器）とすることができ、データ信号（または送信信号、または変調信号）はＩＦＦＴベースの信号である。フレームは複数のサブフレームを含む。
【０２００】
例えば、ＩＦＦＴ（逆高速フーリエ変換）ベースの信号は、ＣＰを有するＯＦＤＭ、またはＣＰを有するＤＦＴ−ｓ−ＯＦＤＭ、およびＣＰを有しないＩＦＦＴベースの波形を含みうる。例えば、ＣＰを有するＯＦＤＭは、下りリンク送信に使用されうる。例えば、ＣＰを有するＤＦＴ−ｓ−ＯＦＤＭが上りリンク送信に使用されうる。
【０２０１】
結論
結論として、本発明による実施形態は、上りリンクにおけるｓＴＴＩのための柔軟なＤＭＲＳマッピングを作成する。本発明による態様は以下のように要約することができる：
Ｅ１）上りリンク用の新しいｓＴＴＩパターン（図３を参照）
Ｅ２）ｓＴＴＩは設計され、ＤＭＲＳシンボルをオーバーラップする
○  適切な方法でそれらを多重化する（例えば、符号分割、周波数分割、空間分割）
○  簡略化されたスケジューリング用のパターンを定義する
・  事前通知されたコードブックからのパターン（をシグナリングする）
・  半静的信号パターン
○  ＵＬ付与を使用して動的にスケジュールする
・  ｓＴＴＩの長さに応じてサブセットから
○  パターンをＳＲＳスケジューリング設定と一致させる
Ｅ３）与えられた（またはいくつかの）与えられた許可で使用するためにＤＭＲＳ位置を知らせるためにＵＥに制御情報
・  ＰＵＳＣＨの前後（１ａ−１ｂ；２ａ−２ｃ；３ａ−３ｄ；４ａ−４ｅ）
・  それ以外の場合はｓＴＴＩの長さは定義される
Ｅ４）ＤＭＲＳ多重化モードの制御情報
・  例えば、使用する多重化モードコード、周波数、特殊または非直交
・  モード用の追加パラメータ：例えば、ＤＭＲＳサイクリックシフトまたは周波数パターン
Ｅ５）データおよびＤＭＲＳシンボルの位置と長さを静的に割り当てるための、Ｅ２で定義されている事前定義パターン
・  例えば、ｓＴＴＩの長さ、割り当てられたＰＲＢ、サブキャリア、信号モードに依存する
Ｅ６）ＵＥが（またはいくつかの）所与のＵＬ許可で使用するための可能なｓＴＴＩ構造のサブセットをシグナリングするための制御情報
・  それ以外の場合はｓＴＴＩ長を定義する
・  一方、（半）静的にｓＴＴＩの長さを定義する
・  例えば、２ｄ、３ａ、３ｄまたは３ａ、３ｂ、３ｃ、３ｄ、３ｅ
【０２０２】
本発明による実施形態は、サブフレーム内の同じ長さまたは異なる長さのｓＴＴＩの柔軟な位置決めを可能にする。隣接するｓＴＴＩのＤＭＲＳを多重化することによってオーバーヘッドを減らすことが可能である。これは、同じユーザ機器または異なるユーザ機器からのものでありうる。
【０２０３】
本発明によるいくつかの実施形態は、改善されたシグナリングを作成する。
【０２０４】
本発明による実施形態は、例えば、待ち時間制約（ミッションクリティカル）通信サービスにおいて使用されてもよい。
【０２０５】
６．方法
図２１〜図２５は、本発明の実施形態による、１つまたは複数のデータブロックを送信する方法のフローチャートを示す。
【０２０６】
図２６〜図２８は、本発明の実施形態による、１つまたは複数のデータブロックを受信する方法のフローチャートを示す。
【０２０７】
これらの方法は、本明細書に記載の装置と同じ考察に基づいている。これらの方法は、本明細書に記載されている任意の特徴および機能によって補完することができる。
【０２０８】
７．実施変形例
いくつかの態様が装置という脈絡の中で記載されていた場合であっても、該態様も、対応する方法の説明を表現するものとして理解される。その結果、ブロックまたは装置の要素は、それぞれの方法のステップに対応するか、または方法ステップの特徴として理解されうる。類推によって、態様は、それとともに記載されていたか、または、方法ステップもブロックに対応し、または装置に対応する詳細あるいは特性の説明を表す。方法ステップのいくつかまたは全ては、ハードウェア装置（または、ハードウェア装置を使用するとともに）、例えば、マイクロプロセッサ、プログラム可能なコンピュータ、または電子回路によって実行されうる。いくつかの実施の形態において、最も重要な方法ステップのいくつかまたはいくらかは、この種の装置によって実行されうる。
【０２０９】
特定の実現要求に応じて、本発明の実施形態は、ハードウェアにおいて、または、ソフトウェアにおいて、または、部分的にハードウェアにおいて、または、部分的にソフトウェアにおいて、実行されうる。その実現態様は、それぞれの方法が実行されるように、プログラミング可能なコンピュータシステムと協働しうるか、または、協働する、そこに格納された電子的に読み込み可能な制御信号を有するデジタル記憶媒体、例えば、フロッピー（登録商標）ディスク、ＤＶＤ、ブルーレイディスク、ＣＤ、ＲＯＭ、ＰＲＯＭ、ＥＰＲＯＭ、ＥＥＰＲＯＭ、またはＦＬＡＳＨメモリ、電子的に読み取り可能な制御信号が記憶されたハードドライブまたは他の磁気または光学メモリを使用して実行されうる。従って、デジタル記憶媒体は、コンピュータ読み込み可能でもよい。
【０２１０】
本発明による若干の実施の形態は、本願明細書において記載される方法のうちの一つが実行されるように、プログラミング可能なコンピュータシステムと協働することができる電子的に読み込み可能な制御信号を有するデータキャリアを含む。
【０２１１】
通常、本発明の実施の形態は、プログラムコードを有するコンピュータプログラム製品として実施され、コンピュータプログラム製品がコンピュータ上で実行する場合、プログラムコードは、いくつかの方法を実行するために作動される。プログラムコードは、例えば、機械可読キャリアに格納される。
【０２１２】
他の実施形態は、本願明細書において記載される方法のうちの一つを実行するためのコンピュータプログラムを含み、コンピュータプログラムが、機械可読キャリアに格納される。
【０２１３】
換言すれば、従って、コンピュータプログラムがコンピュータ上で実行する場合、本発明の方法の実施の形態は、本願明細書において記載される方法のうちの一つを実行するためのプログラムコードを有するコンピュータプログラムである。
【０２１４】
従って、本発明の方法のさらなる実施の形態は、本願明細書において記載される方法のうちの一つを実行するためのコンピュータプログラムを含むデータキャリア（または、デジタル記憶媒体、またはコンピュータ可読媒体）である。データキャリア、デジタル記憶媒体または記録された媒体は、典型的には、有体物および／または無体物である。
【０２１５】
従って、本発明の方法のさらなる実施形態は、本願明細書において記載される方法のうちの一つを実行するためのコンピュータプログラムを表しているデータストリームまたは一連の信号である。例えば、データストリームまたは一連の信号は、データ通信接続、例えば、インターネットを介して転送されるように構成されうる。
【０２１６】
さらなる実施の形態は、本願明細書において記載される方法のうちの一つを実行するために構成され、または適応される処理手段、例えば、コンピュータ、またはプログラミング可能な論理回路を含む。
【０２１７】
さらなる実施の形態は、その上にインストールされ、本願明細書において記載される方法のうちの一つを実行するためのコンピュータプログラムを有するコンピュータを含む。
【０２１８】
発明に従う別の実施の形態は、ここに記載された方法のうちの一つを実行するためのコンピュータプログラムを、受信器に転送するように構成された装置またはシステムを含む。転送は、電子的にまたは光学的に実行される。受信器は、例えば、コンピュータまたは携帯機器または記憶デバイスなどである。装置またはシステムは、例えば、コンピュータプログラムを受信器に転送するためのファイルサーバーを含む。
【０２１９】
いくつかの実施の形態において、プログラミング可能な論理回路（例えば、現場でプログラム可能なゲートアレイ（ＦＰＧＡ：Ｆｉｅｌｄ  Ｐｒｏｇｒａｍｍａｂｌｅ  Ｇａｔｅ  Ａｒｒａｙ））が、本願明細書において記載されるいくつかまたは全ての機能を実行するために使用されうる。いくつかの実施の形態において、現場でプログラム可能なゲートアレイは、本願明細書において記載される方法のいくつかを実行するために、マイクロプロセッサと協働しうる。一般に、いくつかの実施の形態において、方法は、いくつかのハードウェア装置によって、好ましくは実行される。
【０２２０】
本明細書に記載の装置は、ハードウェア装置を使用して、またはコンピュータを使用して、またはハードウェア装置とコンピュータとの組合せを使用して実施することができる。
【０２２１】
本明細書に記載の装置、または本明細書に記載の装置の任意の構成要素は、少なくとも部分的にハードウェアおよび／またはソフトウェアで実施することができる。
【０２２２】
本明細書に記載の方法は、ハードウェア装置を使用して、またはコンピュータを使用して、またはハードウェア装置とコンピュータとの組合せを使用して実行されうる。
【０２２３】
本明細書に記載の方法、または本明細書に記載の装置の任意の構成要素は、少なくとも部分的にハードウェアおよび／またはソフトウェアによって実行することができる。
【０２２４】
上述した実施の形態は、本発明の原則の例を表すだけである。本願明細書において記載される装置および詳細の修正および変更は、他の当業者にとって明らかであるものと理解される。こういうわけで、記述の手段および実施の形態の議論によって、本願明細書において表された明細書の詳細な記載によりはむしろ、以下の請求項の範囲によってのみ制限されるように意図する。
【０２２５】
８．参照文献
［１］3GPP R1-163723, Ericsson, Qualcomm. WF on DMRS for sPUSCH. s.l.
［２］3GPP TS 36.321 V13.1.0 (2016-03), p. 42ff.
［３］3GPP TS 36.331 V13.1.0 (2016-03), p. 354.
【図１】
2019528007.tif 000003
【図２ａ】
2019528007.tif 000004
【図２ｂ】
2019528007.tif 000005
【図３ａ】
2019528007.tif 000006
【図３ｂ】
2019528007.tif 000007
【図４】
2019528007.tif 000008
【図５】
2019528007.tif 000009
【図６】
2019528007.tif 000010
【図７】
2019528007.tif 000011
【図８】
2019528007.tif 000012
【図９】
2019528007.tif 000013
【図１０】
2019528007.tif 000014
【図１１】
2019528007.tif 000015
【図１２】
2019528007.tif 000016
【図１３】
2019528007.tif 000017
【図１４】
2019528007.tif 000018
【図１５】
2019528007.tif 000019
【図１６】
2019528007.tif 000020
【図１７】
2019528007.tif 000021
【図１８】
2019528007.tif 000022
【図１９】
2019528007.tif 000023
【図２０】
2019528007.tif 000024
【図２１】
2019528007.tif 000025
【図２２】
2019528007.tif 000026
【図２３】
2019528007.tif 000027
【図２４】
2019528007.tif 000028
【図２５】
2019528007.tif 000029
【図２６】
2019528007.tif 000030
【図２７】
2019528007.tif 000031
【図２８】
2019528007.tif 000032
【国際調査報告】
2019528007.tif 000033
2019528007.tif 000034
2019528007.tif 000035
2019528007.tif 000036
2019528007.tif 000037